(57)【要約】【課題】容器に充填された液体洗剤をポンプ加圧で洗濯槽に投入する液体洗剤投入装置から高価なポンプを無くしながら液体洗剤の投入量の計量高精度化を図る。【解決手段】電磁給水弁を開弁し吸引発生器に流水させた時に発生する負圧を利用して液体洗剤を定容室で計量できる本発明の液体洗剤投入装置は、電磁給水弁と液体洗剤槽と定容器と吸引発生器と水ケースとからなり、該吸引発生器に流水させた水は水ケースに流れ、該定容器の外周部には出水口と給水口と給液口と真空口とを設け、該定容器内周部には定容室と弁Ａと弁Ｂと弁Ｃとを設け、該弁Ａは計量済の液体洗剤を定容室から水ケースに投入するために該出水口と該定容室を開閉させ、該弁Ｂは液体洗剤計量のために該給液口と該定容室を開閉させ、該弁Ｃは該定容室を負圧（真空）にするために該真空口と該定容室を開閉させて、計量及び投入を行う。【選択図】図３ａ
2011067604.tif 000002
【特許請求の範囲】
【請求項１】
水を取り入れる入水口（１０１）と出水口Ａ（１０２）と出水口Ｂ（１０３）とを有する弁本体と、該弁本体に接続され開弁により該入水口（１０１）の水を該出水口Ａ（１０２）に通水させる電磁給水弁Ａと、該弁本体に接続され開弁により該入水口（１０１）の水を該出水口Ｂ（１０３）に通水させる電磁給水弁Ｂと、を備える電磁給水弁（１）と、
槽内に規定容量の液体洗剤が蓄えることができ、洗剤出口（２０１）を備える液体洗剤槽（２）と、
該液体洗剤槽（２）から負圧吸引される所定使用量の液体洗剤を充填し、該電磁給水弁Ａから供給される水と混合して混合液として流出させることができる定容器（３）と、
略Ｔ字形状の管からなり該電磁給水弁Ｂから供給される水の流水を利用して該液体洗剤槽（２）の液体洗剤を吸引する負圧を発生させる吸引発生器（４）と、
電気洗浄機器の洗浄槽に水の主注水供給と水と液体洗剤との混合液供給とを行う開放口（５０３）と、該開放口（５０３）に水と液体洗剤との混合液を送出する管路である給水口Ａ（５０１）と、該開放口（５０３）に水の主注水供給を送出する管路である給水口Ｂ（５０２）と、を備える水ケース（５）と、
管路口同士を接続して連通させる配管材と、
から構成される液体洗剤投入装置であって、
構成詳細においては、該定容器（３）は、外周部には出水口（３１２）と給水口（３１３）と真空口（３０１７）とを有し内周部には該出水口（３１２）に連通する管路口である弁座Ａ（３０１３１）と該真空口（３０１７）に連通する管路口である弁座Ｃ（３０１３３）とを有する容器本体のボディＡ（３０１１）と、外部面側には給液口（３０１６）を設け内部面側には該給液口（３０１６）に連通する管路口である弁座Ｂ（３０１３２）と水の密度より低い弁体のボールＣ（３１０）が収容できるベースＢ（３０１２１）とを有する蓋体のボディＢ（３０１２）と、が結合されて、１回の洗浄動作に必要な（所定使用量の）液体洗剤が充填できる空間である定容室（３０１３）が内部に形成されるボディ（３０１）内に、該出水口（３１２）と該定容室（３０１３）とを開閉する弁Ａ（３０２）と、該給液口（３０１６）と該定容室（３０１３）とを開閉する弁Ｂ（３０３）と、該真空口（３０１７）と該定容室（３０１３）とを開閉する弁Ｃ（３０４）と、を備えており、
該弁Ｃ（３０４）は、該弁座Ｃ（３０１３３）と、該ベースＢ（３０１２１）と該弁座Ｃ（３０１３３）との間に設けられる該ボールＣ（３１０）と、からなり、該ボールＣ（３１０）で該弁座Ｃ（３０１３３）を開閉することにより該真空口（３０１７）と該定容室（３０１３）とを開閉するものであり、
該吸引発生器（４）は、給水口（４０１）と、該給水口（４０１）と管路連通する出水口（４０２）と、該給水口（４０１）と該出水口（４０２）との間に管の一部に断面を縮小及び拡大した箇所を設けた収縮口（４０３）と、該収縮口（４０３）に連通する真空発生口（４０４）と、を備え、
管路口同士の接続については直接結合或いは配管材を用いて、該電磁給水弁Ａの該出水口Ａ（１０２）は該定容器（３）の該給水口（３１３）に接続され、該電磁給水弁Ｂの該出水口Ｂ（１０３）は該吸引発生器（４）の該給水口（４０１）に接続され、該定容器（３）の該給液口（３０１６）は該液体洗剤槽（２）の該洗剤出口（２０１）に接続され、該定容器（３）の該真空口（３０１７）は該吸引発生器（４）の該真空発生口（４０４）に接続され、該定容器（３）の該出水口（３１２）は該水ケース（５）の該給水口Ａ（５０１）に接続され、該吸引発生器（４）の該出水口（４０２）は該水ケース（５）の該給水口Ｂ（５０２）に接続されるものにおいて、
作用においては、まず、該電磁給水弁Ｂを通電させると該吸引発生器（４）に水が通水され該給水口Ｂ（５０２）を通り該水ケース（５）の開放口（５０３）から電気洗浄機器の洗浄槽に水の主注水供給が行われ、次に該弁Ｂ（３０３）を開弁させ該弁Ａ（３０２）を閉弁させると該収縮口（４０３）の所で負圧が発生され、該負圧により該真空口（３０１７）から該定容室（３０１３）が減圧されると該給液口（３０１６）から液体洗剤が該定容室（３０１３）に吸引充填され、規定時間後に該弁Ｂ（３０３）を閉弁させ該弁Ａ（３０２）を開弁させると液体洗剤の吸引充填が強制終了するが、該負圧の関係で該規定時間以内に該定容室（３０１３）が液体洗剤で満杯になると該ボールＣ（３１０）が該弁座Ｃ（３０１３３）を閉塞して該弁Ｃ（３０４）が閉弁し液体洗剤吸引が即時停止されて今回の充填動作が完了（吸引充填の強制終了前の満杯後の待機状態）し、
そして、該電磁給水弁Ｂを停電（或いは通電維持）し該電磁給水弁Ａを通電させると該定容室（３０１３）に水が通水され、該定容室（３０１３）内に掛かる該電磁給水弁Ａからの通水圧により、該ボールＣ（３１０）による該弁座Ｃ（３０１３３）の閉塞を維持しながら、吸引充填された液体洗剤と水の混合液が該出水口（３１２）から流出して該給水口Ａ（５０１）を通り該水ケース（５）の開放口（５０３）から電気洗浄機器の洗浄槽に水と液体洗剤との混合液供給が行われることになり、さらに該電磁給水弁Ａからの水が該定容室（３０１３）に流入すると、該定容室（３０１３）内の混合液は水に近い状態まで希釈され粘度が低下して低粘度希釈水となり、該定容室（３０１３）内と該弁Ａ（３０２）とが洗浄され、
最後に、該電磁給水弁Ｂ及び該電磁給水弁Ａを両方共に停電させると、該吸引発生器（４）及び該定容器（３）に通水されていた水が止水し、該定容室（３０１３）内に掛かっていた該電磁給水弁Ａからの通水圧が無くなると、大気が該給水口Ｂ（５０２）から順に該出水口（４０２）、該真空発生口（４０４）、該真空口（３０１７）に入り大気開放されると、該弁座Ｃ（３０１３３）を閉塞していた該ボールＣ（３１０）が該弁座Ｃ（３０１３３）から離れて、大気が該定容室（３０１３）に入り、該定容室（３０１３）中に残留している低粘度希釈水が該出水口（３１２）より排水して該定容室（３０１３）が空になることにより、次回の充填動作が出来るようになることを特徴とする液体洗剤投入装置。
【請求項２】
請求項１記載の液体洗剤投入装置の該定容器（３）において、
さらなる構成詳細においては、該弁Ａ（３０２）と該弁Ｂ（３０３）とを連動させ電磁力で駆動するために、該ボディ（３０１）の外周部には該出水口（３１２）に連通し該弁座Ａ（３０１３１）に連通する管路であるガイド（３０１８）を設け、該ガイド（３０１８）の外周部にはヨークを有する電磁コイル（３０５）を設け、該ガイド（３０１８）の内周部には該ヨークと結合する固定鉄心（３０６）と、該弁座Ａ（３０１３１）内を貫通して該弁座Ｂ（３０１３２）まで延出する延長棒である収縮部（３０７１）を有し該ガイド（３０１８）中を移動出来る可動鉄心（３０７）と、該固定鉄心（３０６）と該可動鉄心（３０７）との間にあるスプリング（３０９）と、を収納し、該収縮部（３０７１）の端部には弁体であるアマチュアシート（３０８）を設け、
該出水口（３１２）は該ガイド（３０１８）と該ガイド（３０１８）の管路口である該弁座Ａ（３０１３１）との間に設置し、該給液口（３０１６）に連通する管路口である弁座Ｂ（３０１３２）は該弁座Ａ（３０１３１）に対向するように設置し、該弁座Ｂ（３０１３２）と該弁座Ａ（３０１３１）との間にアマチュアシート（３０８）を設置し、
該弁Ｂ（３０３）は該アマチュアシート（３０８）の前端（３０８１）が該弁座Ｂ（３０１３２）を離接動することで開閉され、該弁Ａ（３０２）は該アマチュアシート（３０８）の後端（３０８２）が該弁座Ａ（３０１３１）を離接動することで開閉されるが、該弁Ｂの開閉と該弁Ａの開閉は連動するものの一方が開弁（閉弁）になれば他方が閉弁（開弁）になるものにおいて、
作用においては、該電磁コイル（３０５）の停電（無通電）時には、該固定鉄心（３０６）と該可動鉄心（３０７）との間にあるスプリング（３０９）が伸びているので、該アマチュアシート（３０８）は該弁座Ｂ（３０１３２）を閉塞し該弁Ｂ（３０３）は閉弁し該給液口（３０１６）と該定容室（３０１３）とを閉塞していて、連動して該アマチュアシート（３０８）は該弁座Ａ（３０１３１）から離れ該弁Ａ（３０２）は開弁し該出水口（３１２）と該定容室（３０１３）とを管路連通させていて、
該電磁コイル（３０５）の通電による吸引力で該可動鉄心（３０７）が該固定鉄心（３０６）側へ移動する時には、該固定鉄心（３０６）と該可動鉄心（３０７）との間にあるスプリング（３０９）が縮んでいるので、該アマチュアシート（３０８）は該弁座Ｂ（３０１３２）から離れ該弁Ｂ（３０３）が開弁して該給液口（３０１６）と該定容室（３０１３）とを管路連通させ、連動して該アマチュアシート（３０８）は弁座Ａ（３０１３１）を閉塞し該弁Ａ（３０２）が閉弁して該出水口（３１２）と該定容室（３０１３）とを閉塞させることができることを特徴とする液体洗剤投入装置。
【請求項３】
水を取り入れる入水口（１０１）と出水口Ａ（１０２）と出水口Ｂ（１０３）とを有する弁本体と、該弁本体に接続され開弁により該入水口（１０１）の水を該出水口Ａ（１０２）に通水させる電磁給水弁Ａと、該弁本体に接続され開弁により該入水口（１０１）の水を該出水口Ｂ（１０３）に通水させる電磁給水弁Ｂと、を備える電磁給水弁（１）と、
槽内に規定容量の液体洗剤が２種類蓄えることができ、洗剤Ｉ出口（２０２）と洗剤II出口（２０３）を備える液体洗剤槽（２）と、
該液体洗剤槽（２）から負圧吸引される所定使用量の液体洗剤を充填し、該電磁給水弁Ａから供給される水と混合して混合液として流出させることができる定容器（３）と、
略Ｔ字形状の管からなり該電磁給水弁Ｂから供給される水の流水を利用して該液体洗剤槽（２）の液体洗剤を吸引する負圧を発生させる吸引発生器（４）と、
電気洗浄機器の洗浄槽に水の主注水供給と水と液体洗剤との混合液供給とを行う開放口（５０３）と、該開放口（５０３）に水と液体洗剤との混合液を送出する管路である給水口Ａ（５０１）と、該開放口（５０３）に水の主注水供給を送出する管路である給水口Ｂ（５０２）と、を備える水ケース（５）と、
管路口同士を接続して連通させる配管材と、
から構成される液体洗剤投入装置であって、
構成詳細においては、該定容器（３）は、外周部には給水口（３１３）とボール弁体が収納できるベースＡ（３０１１３）と中空円柱の管路であるガイドＩ（３０１８Ａ）と中空円柱の管路であるガイドII（３０１８Ｂ）と流出口（３０１４）とを有する容器本体のボディＡＩ（３０１１１）と、外部面側には給液口ＢＩ（３０１６Ａ）と給液口ＢII（３０１６Ｂ）とを設け内部面側には該給液口ＢＩ（３０１６Ａ）に連通する管路口である弁座ＢＩ（３０１３２Ａ）と該給液口ＢII（３０１６Ｂ）に連通する管路口である弁座ＢII（３０１３２Ｂ）とを有する蓋体のボディＢＩ（３０１２２）と、外周部には出水口（３１２）とガイドＩ嵌合口とガイドII嵌合口とフタ嵌合口とを有し内周部には該出水口（３１２）の周囲にある凹状空間と通し穴Ｌ（３１１１）と弁体が座る弁座Ｄ（３１１２）を収納できる空間とを有するリンク（３１１）と、外周部には該リンク（３１１）のフタ嵌合口に接続するリンク嵌合口と該通し穴Ｌ（３１１１）に接続する通し穴嵌合口とボディＡＩ（３０１１１）の流出口（３０１４）に接続する流出口嵌合口とを有し内周部には該出水口（３１２）と該通し穴Ｌ（３１１１）と該流出口（３０１４）とを管路連通させる通し穴Ｆ（３１５１）を有する連結管路のフタ（３１５）と、該ボール弁体が収納できるベースＡ（３０１１３）部に接続される弁体が座る弁座Ｃ（３０１３３）と真空口（３０１７）とを有する連結体と、が結合されて、１回の洗浄動作に必要な（所定使用量の）液体洗剤が充填できる空間である定容室（３０１３）が内部に形成されるボディ（３０１）内に、該出水口（３１２）と該定容室（３０１３）とを開閉する弁Ａ（３０２）と、該給液口ＢＩ（３０１６Ａ）と該定容室（３０１３）とを開閉する弁ＢＩと、該給液口ＢII（３０１６Ｂ）と該定容室（３０１３）とを開閉する弁ＢIIと、該真空口（３０１７）と該定容室（３０１３）とを開閉する弁Ｃ（３０４）と、を備えており、
該弁Ａ（３０２）は、該リンク（３１１）の凹状空間に入れられた弁体のボールＡ（３１４）と、該リンク（３１１）の弁座Ｄ（３１１２）を収納できる空間に納められた弁座Ｄ（３１１２）と、からなり、該ボールＡ（３１４）で該弁座Ｄ（３１１２）を開閉することにより該出水口（３１２）と該通し穴Ｆ（３１５１）経由で該定容室（３０１３）とを開閉するものであり、
該弁Ｃ（３０４）は、該弁座Ｃ（３０１３３）と、該弁座Ｃ（３０１３３）と該ボール弁体が収納できるベースＡ（３０１１３）との間に設けられる弁体のボールＣ（３１０）と、からなり、該ボールＣ（３１０）で該弁座Ｃ（３０１３３）を開閉することにより該真空口（３０１７）と該定容室（３０１３）とを開閉するものであり、
該吸引発生器（４）は、給水口（４０１）と、該給水口（４０１）と管路連通する出水口（４０２）と、該給水口（４０１）と該出水口（４０２）との間に管の一部に断面を縮小及び拡大した箇所を設けた収縮口（４０３）と、該収縮口（４０３）に連通する真空発生口（４０４）と、を備え、
管路口同士の接続については直接結合或いは配管材を用いて、該電磁給水弁Ａの該出水口Ａ（１０２）は該定容器（３）の該給水口（３１３）に接続され、該電磁給水弁Ｂの該出水口Ｂ（１０３）は該吸引発生器（４）の該給水口（４０１）に接続され、該定容器（３）の該給液口Ｉ（３０１６Ａ）は該液体洗剤槽（２）の該洗剤Ｉ出口（２０２）に接続され、該定容器（３）の該給液口II（３０１６Ｂ）は該液体洗剤槽（２）の該洗剤II出口（２０３）に接続され、該定容器（３）の該真空口（３０１７）は該吸引発生器（４）の該真空発生口（４０４）に接続され、該定容器（３）の該出水口（３１２）は該水ケース（５）の該給水口Ａ（５０１）に接続され、該吸引発生器（４）の該出水口（４０２）は該水ケース（５）の該給水口Ｂ（５０２）に接続され、
さらなる構成詳細においては、該ガイドＩ（３０１８Ａ）の外周部にはヨークを有する電磁コイルＩ（３０５Ａ）を設け、該ガイドＩ（３０１８Ａ）の内周部には該ヨークと結合するセンタオリフィスＩ（３０６１）のある固定鉄心Ｉ（３０６Ａ）と、端部に弁体のアマチュアシートＩ（３０８Ａ）を設けた収縮部Ｉ（３０７１Ａ）を有する可動鉄心Ｉ（３０７Ａ）と、該固定鉄心Ｉ（３０６Ａ）と該可動鉄心Ｉ（３０７Ａ）の間に設けられるスプリングＩ（３０９Ａ）と、を収納し、該弁ＢＩは該アマチュアシートＩ（３０８Ａ）が該弁座ＢＩ（３０１３２Ａ）を離接動することで開閉され、
該ガイドII（３０１８Ｂ）の外周部にはヨークを有する電磁コイルII（３０５Ｂ）を設け、該ガイドII（３０１８Ｂ）の内周部には該ヨークと結合するセンタオリフィスII（３０６２）のある固定鉄心II（３０６Ｂ）と、端部に弁体のアマチュアシートII（３０８Ｂ）を設けた収縮部II（３０７１Ｂ）を有する可動鉄心II（３０７Ｂ）と、該固定鉄心II（３０６Ｂ）と該可動鉄心II（３０７Ｂ）の間に設けられるスプリングII（３０９Ｂ）と、を収納し、該弁ＢIIは該アマチュアシートII（３０８Ｂ）が該弁座ＢII（３０１３２Ｂ）を離接動することで開閉されるものにおいて、
作用においては、まず、該電磁給水弁Ｂを通電させると該吸引発生器（４）に水が通水され該給水口Ｂ（５０２）を通り該水ケース（５）の開放口（５０３）から電気洗浄機器の洗浄槽に水の主注水供給が行われ、該収縮口（４０３）の所で負圧が発生され、該負圧が該真空口（３０１７）から該定容室（３０１３）に伝わる時に、該ボールＡ（３１４）が吸引負圧により該リンク（３１１）の該弁座Ｄ（３１１２）側へ移動し、該出水口（３１２）と該定容室（３０１３）が閉塞して該定容室（３０１３）内が負圧になりつつあり、次に、該定容器（３）の電磁コイルＩ（３０５Ａ）と電磁コイルII（３０５Ｂ）のどちらかを通電させると、該弁ＢＩと該弁ＢIIのどちらかが開弁となり、該給液口ＢＩ（３０１６Ａ）と該給液口ＢII（３０１６Ｂ）のどちらかから液体洗剤が該定容室（３０１３）に吸引充填され、規定時間後に該電磁コイルＩ（３０５Ａ）と該電磁コイルII（３０５Ｂ）の両方を停電させ該弁ＢＩと該弁ＢIIの両方を閉弁させると液体洗剤の吸引充填が強制終了するが、負圧の関係で該規定時間以内に該定容室（３０１３）が液体洗剤で満杯になると該ボールＣ（３１０）が該弁座Ｃ（３０１３３）を閉塞して該弁Ｃ（３０４）が閉弁し液体洗剤吸引が即時停止されて今回の充填動作が完了（満杯後の待機状態）し、
そして、該電磁給水弁Ｂを停電（或いは通電維持）し該電磁給水弁Ａを通電させると該定容室（３０１３）に水が通水され、該定容室（３０１３）内に掛かる該電磁給水弁Ａからの通水圧により、該ボールＣ（３１０）による該弁座Ｃ（３０１３３）の閉塞を維持しながら、吸引充填された液体洗剤と水の混合液が該流出口（３０１４）から該通し穴Ｆ（３１５１）を通り該出水口（３１２）から流出して該給水口Ａ（５０１）を通り該水ケース（５）の開放口（５０３）から電気洗浄機器の洗浄槽に水と液体洗剤との混合液供給が行われることになり、さらに該電磁給水弁Ａからの水が該定容室（３０１３）に流入すると、該定容室（３０１３）内の混合液は水に近い状態まで希釈され粘度が低下して低粘度希釈水となり、該ガイドＩ（３０１８Ａ）の内周部を通り、該固定鉄心Ｉ（３０６Ａ）のセンタオリフィスＩ（３０６１）を通り、該通し穴Ｌ（３１１１）を通り、該通し穴Ｆ（３１５１）を通り、該弁Ａ（３０２）を通り、該出水口（３１２）から流出し液体洗剤の固化を防ぐことができ、また該ガイドII（３０１８Ｂ）の内周部を通り、該固定鉄心II（３０６Ｂ）のセンタオリフィスII（３０６２）を通り、該通し穴Ｌ（３１１１）を通り、該通し穴Ｆ（３１５１）を通り、該弁Ａ（３０２）を通り、該出水口（３１２）から流出し液体洗剤の固化を防ぐことができ、
最後に、該電磁給水弁Ｂ及び該電磁給水弁Ａを両方共に停電させると、該吸引発生器（４）及び該定容器（３）に通水されていた水が止水し、該定容室（３０１３）内に掛かっていた該電磁給水弁Ａからの通水圧が無くなると、大気が該給水口Ｂ（５０２）から順に該出水口（４０２）、該真空発生口（４０４）、該真空口（３０１７）に入り大気開放されると、該弁座Ｃ（３０１３３）を閉塞していた該ボールＣ（３１０）が該弁座Ｃ（３０１３３）から離れて、大気が該定容室（３０１３）に入り、該定容室（３０１３）中に残留している低粘度希釈水は該出水口（３１２）より排水して該定容室（３０１３）が空になることにより、次回の充填動作が出来るようになり、
該定容器（３）の該電磁コイルＩ（３０５Ａ）と該電磁コイルII（３０５Ｂ）のどちかの動作選定によって２種類の液体洗剤が投入出来ることを特徴とする液体洗剤投入装置。
【請求項４】
水を取り入れる入水口（１０１）と出水口Ａ（１０２）と出水口Ｂ（１０３）とを有する弁本体と、該弁本体に接続され開弁により該入水口（１０１）の水を該出水口Ａ（１０２）に通水させる電磁給水弁Ａと、該弁本体に接続され開弁により該入水口（１０１）の水を該出水口Ｂ（１０３）に通水させる電磁給水弁Ｂと、を備える電磁給水弁（１）と、
槽内に規定容量の液体洗剤が２種類蓄えることができ、洗剤Ｉ出口（２０２）と洗剤II出口（２０３）を備える液体洗剤槽（２）と、
該液体洗剤槽（２）から負圧吸引される所定使用量の液体洗剤を充填し、該電磁給水弁Ａから供給される水と混合して混合液として流出させることができる定容器（３）と、
略Ｔ字形状の管からなり該電磁給水弁Ｂから供給される水の流水を利用して該液体洗剤槽（２）の液体洗剤を吸引する負圧を発生させる吸引発生器（４）と、
電気洗浄機器の洗浄槽に水の主注水供給と水と液体洗剤との混合液供給とを行う開放口（５０３）と、該開放口（５０３）に水と液体洗剤との混合液を送出する管路である給水口Ａ（５０１）と、該開放口（５０３）に水の主注水供給を送出する管路である給水口Ｂ（５０２）と、を備える水ケース（５）と、
管路口同士を接続して連通させる配管材と、
から構成される液体洗剤投入装置であって、
構成詳細においては、該定容器（３）は、外周部にはボール弁体が収納できるベースＡ（３０１１３）と中空円柱の管路であるガイドＩ（３０１８Ａ）と中空円柱の管路であるガイドII（３０１８Ｂ）と流出口（３０１４）とを有する容器本体のボディＡII（３０１１２）と、外部面側には給液口ＢＩ（３０１６Ａ）と給液口ＢII（３０１６Ｂ）とを設け内部面側には該給液口ＢＩ（３０１６Ａ）に連通する管路口である弁座ＢＩ（３０１３２Ａ）と該給液口ＢII（３０１６Ｂ）に連通する管路口である弁座ＢII（３０１３２Ｂ）とを有する蓋体のボディＢII（３０１２３）と、外周部には給水口（３１３）と出水口（３１２）とガイドＩ嵌合口とガイドII嵌合口とフタ嵌合口とを有し内周部には該給水口（３１３）とガイドＩ嵌合口とガイドII嵌合口とを管路連通する通し穴Ｌ（３１１１）と該出水口（３１２）の周囲にある凹状空間と弁体が座る弁座Ｄ（３１１２）を収納できる空間とを有するリンク（３１１）と、外周部には該リンク（３１１）のフタ嵌合口に接続するリンク嵌合口とボディＡII（３０１１２）の流出口（３０１４）に接続する流出口嵌合口とを有し内周部には該出水口（３１２）と該流出口（３０１４）とを管路連通させる通し穴Ｆ（３１５１）を有する連結管路のフタ（３１５）と、該ボール弁体が収納できるベースＡ（３０１１３）部に接続される弁体が座る弁座Ｃ（３０１３３）と真空口（３０１７）とを有する連結体と、が結合されて、１回の洗浄動作に必要な（所定使用量の）液体洗剤が充填できる空間である定容室（３０１３）が内部に形成されるボディ（３０１）内に、該出水口（３１２）と該定容室（３０１３）とを開閉する弁Ａ（３０２）と、該給液口ＢＩ（３０１６Ａ）と該定容室（３０１３）とを開閉する弁ＢＩと、該給液口ＢII（３０１６Ｂ）と該定容室（３０１３）とを開閉する弁ＢIIと、該真空口（３０１７）と該定容室（３０１３）とを開閉する弁Ｃ（３０４）と、を備えており、
該弁Ａ（３０２）は、該リンク（３１１）の凹状空間に入れられた弁体のボールＡ（３１４）と、該リンク（３１１）の弁座Ｄ（３１１２）を収納できる空間に納められた弁座Ｄ（３１１２）と、からなり、該ボールＡ（３１４）で該弁座Ｄ（３１１２）を開閉することにより該出水口（３１２）と該通し穴Ｆ（３１５１）経由で該定容室（３０１３）とを開閉するものであり、
該弁Ｃ（３０４）は、該弁座Ｃ（３０１３３）と、該弁座Ｃ（３０１３３）と該ボール弁体が収納できるベースＡ（３０１１３）との間に設けられる弁体のボールＣ（３１０）と、からなり、該ボールＣ（３１０）で該弁座Ｃ（３０１３３）を開閉することにより該真空口（３０１７）と該定容室（３０１３）とを開閉するものであり、
該吸引発生器（４）は、給水口（４０１）と、該給水口（４０１）と管路連通する出水口（４０２）と、該給水口（４０１）と該出水口（４０２）との間に管の一部に断面を縮小及び拡大した箇所を設けた収縮口（４０３）と、該収縮口（４０３）に連通する真空発生口（４０４）と、を備え、
管路口同士の接続については直接結合或いは配管材を用いて、該電磁給水弁Ａの該出水口Ａ（１０２）は該定容器（３）の該給水口（３１３）に接続され、該電磁給水弁Ｂの該出水口Ｂ（１０３）は該吸引発生器（４）の該給水口（４０１）に接続され、該定容器（３）の該給液口Ｉ（３０１６Ａ）は該液体洗剤槽（２）の該洗剤Ｉ出口（２０２）に接続され、該定容器（３）の該給液口II（３０１６Ｂ）は該液体洗剤槽（２）の該洗剤II出口（２０３）に接続され、該定容器（３）の該真空口（３０１７）は該吸引発生器（４）の該真空発生口（４０４）に接続され、該定容器（３）の該出水口（３１２）は該水ケース（５）の該給水口Ａ（５０１）に接続され、該吸引発生器（４）の該出水口（４０２）は該水ケース（５）の該給水口Ｂ（５０２）に接続され、
さらなる構成詳細においては、該ガイドＩ（３０１８Ａ）の外周部にはヨークを有する電磁コイルＩ（３０５Ａ）を設け、該ガイドＩ（３０１８Ａ）の内周部には該ヨークと結合するセンタオリフィスＩ（３０６１）のある固定鉄心Ｉ（３０６Ａ）と、端部に弁体のアマチュアシートＩ（３０８Ａ）を設けた収縮部Ｉ（３０７１Ａ）を有する可動鉄心Ｉ（３０７Ａ）と、該固定鉄心Ｉ（３０６Ａ）と該可動鉄心Ｉ（３０７Ａ）の間に設けられるスプリングＩ（３０９Ａ）と、を収納し、該弁ＢＩは該アマチュアシートＩ（３０８Ａ）が該弁座ＢＩ（３０１３２Ａ）を離接動することで開閉され、
該ガイドII（３０１８Ｂ）の外周部にはヨークを有する電磁コイルII（３０５Ｂ）を設け、該ガイドII（３０１８Ｂ）の内周部には該ヨークと結合するセンタオリフィスII（３０６２）のある固定鉄心II（３０６Ｂ）と、端部に弁体のアマチュアシートII（３０８Ｂ）を設けた収縮部II（３０７１Ｂ）を有する可動鉄心II（３０７Ｂ）と、該固定鉄心II（３０６Ｂ）と該可動鉄心II（３０７Ｂ）の間に設けられるスプリングII（３０９Ｂ）と、を収納し、該弁ＢIIは該アマチュアシートII（３０８Ｂ）が該弁座ＢII（３０１３２Ｂ）を離接動することで開閉されるものにおいて、
作用においては、まず、該電磁給水弁Ｂを通電させると該吸引発生器（４）に水が通水され該給水口Ｂ（５０２）を通り該水ケース（５）の開放口（５０３）から電気洗浄機器の洗浄槽に水の主注水供給が行われ、該収縮口（４０３）の所で負圧が発生され、該負圧が該真空口（３０１７）から該定容室（３０１３）に伝わる時に、該ボールＡ（３１４）が吸引負圧により該リンク（３１１）の該弁座Ｄ（３１１２）側へ移動し、該出水口（３１２）と該定容室（３０１３）が閉塞して該定容室（３０１３）内が負圧になりつつあり、次に、該定容器（３）の電磁コイルＩ（３０５Ａ）と電磁コイルII（３０５Ｂ）のどちらかを通電させると、該弁ＢＩと該弁ＢIIのどちらかが開弁となり、該給液口ＢＩ（３０１６Ａ）と該給液口ＢII（３０１６Ｂ）のどちらかから液体洗剤が該定容室（３０１３）に吸引充填され、規定時間後に該電磁コイルＩ（３０５Ａ）と該電磁コイルII（３０５Ｂ）の両方を停電させ該弁ＢＩと該弁ＢIIの両方を閉弁させると液体洗剤の吸引充填が強制終了するが、負圧の関係で該規定時間以内に該定容室（３０１３）が液体洗剤で満杯になると該ボールＣ（３１０）が該弁座Ｃ（３０１３３）を閉塞して該弁Ｃ（３０４）が閉弁し液体洗剤吸引が即時停止されて今回の充填動作が完了（満杯後の待機状態）し、
そして、該電磁給水弁Ｂを停電（或いは通電維持）し該電磁給水弁Ａを通電させると、水は該給水口（３１３）から該通し穴Ｌ（３１１１）に通り、該固定鉄心Ｉ（３０６Ａ）のセンタオリフィスＩ（３０６１）を通り該ガイドＩ（３０１８Ａ）の内周部を通り該定容室（３０１３）の管路内を洗浄しながら通って、また該固定鉄心II（３０６Ｂ）のセンタオリフィスII（３０６２）を通り該ガイドII（３０１８Ｂ）の内周部を通り該定容室（３０１３）の管路内を洗浄しながら通って、該定容室（３０１３）に水が通水され、該定容室（３０１３）内に掛かる該電磁給水弁Ａからの通水圧により、該ボールＣ（３１０）による該弁座Ｃ（３０１３３）の閉塞を維持しながら、吸引充填された液体洗剤と水の混合液が該流出口（３０１４）から該通し穴Ｆ（３１５１）を通り該出水口（３１２）から流出して該給水口Ａ（５０１）を通り該水ケース（５）の開放口（５０３）から電気洗浄機器の洗浄槽に水と液体洗剤との混合液供給が行われることになり、さらに該電磁給水弁Ａからの水が該定容室（３０１３）に流入すると、該定容室（３０１３）内の混合液は水に近い状態まで希釈され粘度が低下して低粘度希釈水となり、
最後に、該電磁給水弁Ｂ及び該電磁給水弁Ａを両方共に停電させると、該吸引発生器（４）及び該定容器（３）に通水されていた水が止水し、該定容室（３０１３）内に掛かっていた該電磁給水弁Ａからの通水圧が無くなると、大気が該給水口Ｂ（５０２）から順に該出水口（４０２）、該真空発生口（４０４）、該真空口（３０１７）に入り大気開放されると、該弁座Ｃ（３０１３３）を閉塞していた該ボールＣ（３１０）が該弁座Ｃ（３０１３３）から離れて、大気が該定容室（３０１３）に入り、該定容室（３０１３）中に残留している低粘度希釈水は該出水口（３１２）より排水して該定容室（３０１３）が空になることにより、次回の充填動作が出来るようになり、
該定容器（３）の該電磁コイルＩ（３０５Ａ）と該電磁コイルII（３０５Ｂ）のどちかの動作選定によって２種類の液体洗剤が投入出来ることを特徴とする液体洗剤投入装置。
【発明の詳細な説明】
【技術分野】
【０００１】
本発明は液体の分配装置に係るもので、特に電気洗濯機や電気食器洗い乾燥器、洋式便器の上に設置する便座用局部洗浄装置等の電気洗浄機器に搭載される液体洗剤投入装置に係るものである。
【背景技術】
【０００２】
従来から、液体洗剤を使用する電気洗濯機や電気食器洗い乾燥器、洋式便器の上に設置する便座用局部洗浄装置等の電気洗浄機器用の液体洗剤（例えば、洗濯用合成洗剤、合成界面活性剤、蛍光増白剤、漂白剤、染み抜き剤、柔軟仕上剤、芳香剤、ぬめり取り剤、消毒剤、清浄剤、消臭剤、発泡剤、消泡剤、洗浄用化学合成薬剤、黴除去剤、滅菌液等の添加剤など）の投入方法は、使用者が事前に投入する液体洗剤を所定の容器に入れて、電気洗浄機器の洗浄過程に給水或いは機械的な方法でその液体洗剤を電気洗浄機器に入れます。電気洗浄機器に投入する液体洗剤の量は使用者が決めていますが、洗浄をするたびに所定の容器に液体洗剤を入れなければなりません。洗剤の液体化に伴い、使用者の操作の便利さのために、洗浄物の種類と洗浄の量に応じて自動的に液体洗剤の投入量が設定でき、なおかつ余剰の液体洗剤が次回の洗浄に使える工夫等が、電気洗浄機器に搭載される液体洗剤投入装置に求められている。
電気洗浄機器が電気洗濯機の場合の洗浄物は、洗濯をする衣類が該当し、電気食器洗い乾燥器の場合の洗浄物は、皿などの食器類が該当し、洋式便器の上に設置する便座用局部洗浄装置の場合の洗浄物は、汚物等が付着する便器内や人体局部等が該当し、また洗浄しがら芳香剤を噴霧するような付随する機能等も該当する。
本発明においては、ことわりの無い限り、電気洗濯機の場合の実施例で説明をするが、電気食器洗い乾燥器、洋式便器の上に設置する便座用局部洗浄装置等の場合は、上記の洗浄物を読み替えれば、そのまま応用できるものである。
【０００３】
先行技術調査によると、例えば、所定の容器に充填された液体洗剤に加圧ポンプで加圧をしておき、弁の開弁時間で投入する液体洗剤の量を決める液体洗剤投入装置に係わる技術（例えば、特許文献１参照。）や、例えば、空気ポンプによって、密閉した液体洗剤容器内の空気圧を高めて、液体洗剤容器内の液体洗剤を液体排出口より押し出し、電気洗浄機器の洗浄槽に投入する液体洗剤投入装置に係わる技術（例えば、特許文献２参照。）等が開示されている。これらの開示技術では、使用者は液体洗剤を液体洗剤容器にいっぱい入れてからフタを完全に密閉することが要求されている。しかし、液体洗剤容器の密閉に不具合があると、液体洗剤容器を加圧ポンプで加圧しても、その加圧圧力がリーク（空気漏れによる圧力低下）を起こす恐れがある。圧力が同じでも、液体洗剤の粘度が異なると、その送出スピードも異なるため、液体洗剤の投入量は精確でなくなる恐れがある。また、液体洗剤を加圧する加圧ポンプの運転騒音は電気洗浄機器全体の騒音低減に悪影響を及ぼすことになる。
【０００４】
そして、中国においては、電気洗浄機器の底部に液体洗剤容器を設け、ギヤ・ポンプの押出圧力で電気洗浄機器の上方部にある水ケースへ液体洗剤を送出させてから、水と混合させ混合液を電気洗浄機器の洗浄槽に入れる液体洗剤投入装置に係わる技術も開示されている。この案では、ギヤ・ポンプがいつも液体洗剤の中にあり、使用により液体洗剤容器から液体洗剤が少なくなり乾燥（水分の蒸発、粘度低減剤の揮発等）が起こり始めると、液体洗剤が固化（酸化して固体化する現象。弁や駆動部で固化すると、該固化物が固着してしまい除去が難しくなる。）して起こる粘度変化はギヤ・ポンプの送出動作に過負荷を与え悪影響を及ぼす恐れがある。そして、ギヤ・ポンプの過負荷運転による騒音は電気洗浄機器全体の騒音低減に悪影響を及ぼすことになる。また、液体洗剤の粘度のばらつきのため、液体洗剤の投入量の精度が問題になる恐れがある。
【０００５】
上記の開示された技術をまとめると、液体洗剤の加圧ポンプによる加圧送出方式では、液体洗剤容器のフタが完全に密閉されないために起こるリーク問題と、液体洗剤の粘度の変化が投入量の精確さに影響する問題、などがある。そして、ギヤ・ポンプによる送出方式においては、液体洗剤の固化が起こると、ギヤ・ポンプの詰まりを起こす問題がある。
【０００６】
そして、吸水ポンプの吐出側の吐出管路にノズルを設け、そのすぐ下流にて合流するよう液体洗剤導入管を設けることにより、液体洗剤はノズルの噴出する水により発生する負圧で吸引されて、水と混ざりながら電気洗浄機器内へ送り込まれる液体洗剤投入装置に係わる技術（例えば、特許文献３参照。）も開示されている。この開示技術では、加圧ポンプによる加圧送出方式での液体洗剤容器の不完全密閉によるリーク問題と、ギヤ・ポンプによる送出方式での液体洗剤の固化に伴うギヤ・ポンプ詰まり問題と、が解決されているが、不変圧力が提供できる吸水ポンプを設置することになり、このコストは高くなる恐れがある。
【０００７】
そして、前記と同様の原理に基づく負圧装置を利用するが、吸水ポンプの加圧によるもので無く、直接水道水により発生する負圧を利用する液体洗剤投入装置に係わる技術（例えば、特許文献４参照。）も開示されている。ただし、その負圧の大きさは流量（通水量）に左右される。電気洗浄機器に使われる電磁給水弁の給水で負圧を起こす場合は、その発生する負圧のばらつきの範囲が大きくて、液体洗剤の投入精度も制御しにくい課題もある。
【０００８】
特許文献４の実施例２で開示されているように、負圧装置と液体洗剤容器の間に計量ケースを設け、弁１−１と弁１−２を閉め、弁１−３と弁１−４を開弁し、これにより計量ケース内を真空（負圧）状態にして、そして弁１−３と弁１−４を閉め、弁１−１を開弁し、計量ケースの真空（負圧）で液体洗剤を計量ケースへ流出させてから、弁１−１を閉め、弁１−２、弁１−３と弁１−４を開弁して、水により発生する負圧を利用し計量ケースにある液体洗剤を水ケースに送出するようになっている。
【０００９】
特許文献４の実施例１で開示されている水の流量（通水量）の大小のために、発生する負圧にばらつきがでて、液体洗剤の計量精度に影響する問題は、該実施例２で解決された。ただし、該実施例２は、液体洗剤を計量ケースに充填するのが負圧源と計量ケースと切断された状態で行われることで、計量ケースに残る負圧力により液体洗剤を吸引する方法である。万一負圧力が不足になる場合は、計量空間をいっぱいに充填することができなくなり、投入の精度が狂うという問題が出てくる。実際には、計量ケースがこの負圧源と結合されると、計量ケース内が真空状態になることが無理なことで、計量ケースが真空源から切断された状態になっても、計量ケースには負圧があるが、一定の空気圧もある（即ち計量ケースには一定量の空気がある）。液体洗剤の充填に伴い、計量ケース内の空間も小さくなり、計量ケースにある空気が圧縮され、負圧も消えて、その時、液体洗剤の充填はできなくなる。もし計量ケースの密閉に不具合がある場合は、問題点はもっとひどくなる。また、計量ケースに充填する液体洗剤が負圧により水流れへ吸引されるから、弁から配管までへ流すと、液体洗剤は粘度のため一部分が配管に残る。これらの液体洗剤が固化されると、液体洗剤の流動を障害して、液体洗剤の投入効果を影響することになる。
【先行技術文献】
【特許文献】
【００１０】
【特許文献１】特開昭６１−１７２５９４号公報
【特許文献２】特開２０００−３３４１９７号公報
【特許文献３】特開平１１−０１９３９１公報
【特許文献４】中国実用新案公告第ＣＮ２０１２５８４０９Ｙ号公報
【発明の概要】
【発明が解決しようとする課題】
【００１１】
しかしながら、従来の電気洗浄機器に搭載される各種液体洗剤投入装置等の投入量の計量精度が低い、液体洗剤投入装置の詰まりなどの不具合で計量と投入に影響する問題がある。
【課題を解決するための手段】
【００１２】
本発明は、従来の技術の有するこのような問題点を鑑みてなされたものであり、その目的とするところは、電気洗浄機器へ給水するときに発生する吸引負圧により、吸引発生器が定容器内の大気（空気）を吸引し、定容器が該吸引力により所定使用量の液体洗剤の取り出しを行い、そして水道水と混ざりながら液体洗剤を水ケースへ送水すると同時に、残留する混合液の排水についても、水の自重により定容室の空間を空けることができ、水道水の水圧のばらつき（例えば、０．０２ＭＰａ〜１．０ＭＰａ）のため負圧のばらつきが出ても、精確に計量できる吸引発生器と定容器を備える電気洗浄機器用の液体洗剤投入装置を提供しようとするものである。
【００１３】
上記目的を達成するために、本発明の課題解決手段１における電気洗浄機器用の液体洗剤投入装置は、
構成（ハードウェア）的には、
水を取り入れる入水口と出水口Ａと出水口Ｂとを有する弁本体と、該弁本体に接続され開弁により該入水口の水を該出水口Ａに通水させる電磁給水弁Ａと、該弁本体に接続され開弁により該入水口の水を該出水口Ｂに通水させる電磁給水弁Ｂと、を備える電磁給水弁（例えば、パイロット弁方式二連式電磁給水弁）と、
槽内に規定容量の液体洗剤が蓄えることができ、洗剤出口を備える液体洗剤槽と、
該液体洗剤槽から負圧吸引される所定使用量の液体洗剤を充填し、該電磁給水弁Ａから供給される水と混合して混合液として流出させることができる定容器と、
略Ｔ字形状の管からなり該電磁給水弁Ｂから供給される水の流水を利用して該液体洗剤槽の液体洗剤を吸引する負圧を発生させる吸引発生器と、
電気洗浄機器の洗浄槽に水の主注水供給と水と液体洗剤との混合液供給とを行う開放口と、該開放口に水と液体洗剤との混合液を送出する管路である給水口Ａと、該開放口に水の主注水供給を送出する管路である給水口Ｂと、を備える水ケースと、
管路口同士を接続して連通させる配管材（例えば、ゴム管、軟質ホース、硬質合成樹脂成形管）と、
から構成される液体洗剤投入装置であって、
【００１４】
構成（ハードウェア）の詳細においては、
該定容器は、外周部には出水口と給水口と真空口とを有し内周部には該出水口に連通する管路口である弁座Ａと該真空口に連通する管路口である弁座Ｃとを有する容器本体のボディＡと、外部面側には給液口を設け内部面側には該給液口に連通する管路口である弁座Ｂと水の密度より低い弁体のボールＣが収容できるベースＢとを有する蓋体のボディＢと、が結合されて、１回の洗浄動作に必要な（所定使用量の）液体洗剤が充填できる空間である定容室が内部に形成されるボディ内に、該出水口と該定容室とを開閉する弁Ａ（洗剤流出開閉弁）と、該給液口と該定容室とを開閉する弁Ｂ（洗剤流入開閉弁）と、該真空口と該定容室とを開閉する弁Ｃ（大気開放開閉弁）と、を備えており、
該弁Ｃは、該弁座Ｃと、該ベースＢと該弁座Ｃとの間に設けられる該ボールＣと、からなり、該ボールＣで該弁座Ｃを開閉することにより該真空口と該定容室とを開閉（連通と閉塞）するものであり、
吸引発生器（アスピレータ）は、給水口と、該給水口と管路連通する出水口と、該給水口と該出水口との間に管の一部に断面を縮小及び拡大（管路の上流側を縮径し下流側を拡径）した箇所を設けた収縮口と、該収縮口に連通する真空発生口と、を備え、
管路口同士の接続については直接結合、或いは配管材及びボンド（接着剤／プライマー）、バインド（ホース抜止めバンド）等の結合助材等を用いて、該電磁給水弁Ａの該出水口Ａは該定容器の該給水口に接続され、該電磁給水弁Ｂの該出水口Ｂは該吸引発生器の該給水口に接続され、該定容器の該給液口は該液体洗剤槽の該洗剤出口に接続され、該定容器の該真空口は該吸引発生器の該真空発生口に接続され、該定容器の該出水口は該水ケースの該給水口Ａに接続され、該吸引発生器の該出水口は該水ケースの該給水口Ｂに接続されるものにおいて、
【００１５】
作用（ソフトウェア）的には、
まず、該電磁給水弁Ｂを通電させると該吸引発生器に水が通水され該給水口Ｂを通り該水ケースの開放口から電気洗浄機器の洗浄槽に水の主注水供給が行われ、次に該弁Ｂを開弁させ該弁Ａを閉弁させると該収縮口の所で負圧が発生され、該負圧により該真空口から該定容室が減圧されると該給液口から液体洗剤が該定容室に吸引充填され、規定時間後に該弁Ｂを閉弁させ該弁Ａを開弁させると液体洗剤の吸引充填が強制終了するが、該負圧の関係で該規定時間以内に該定容室が液体洗剤で満杯になると該ボールＣが該弁座Ｃを閉塞して該弁Ｃが閉弁し液体洗剤吸引が即時停止されて今回の充填動作が完了（吸引充填の強制終了前の満杯後の待機状態）し、
【００１６】
そして、該電磁給水弁Ｂを停電（或いは通電維持）し該電磁給水弁Ａを通電させると該定容室に水が通水（注水）され、該定容室内に掛かる該電磁給水弁Ａからの通水圧により、該ボールＣによる該弁座Ｃの閉塞を維持しながら、吸引充填された液体洗剤と水の混合液が該出水口から流出して該給水口Ａを通り該水ケースの開放口から電気洗浄機器の洗浄槽に水と液体洗剤との混合液供給が行われることになり、さらに該電磁給水弁Ａからの水が該定容室に流入すると、該定容室内の混合液は水に近い状態まで希釈され粘度が低下して低粘度希釈水となり、該定容室内と該弁Ａとが洗浄され、
【００１７】
最後に、該電磁給水弁Ｂ及び該電磁給水弁Ａを両方共に停電させると、該吸引発生器及び該定容器に通水されていた水が止水し、該定容室内に掛かっていた該電磁給水弁Ａからの通水圧が無くなると、大気が該給水口Ｂから順に該出水口、該真空発生口、該真空口に入り、管路内が大気開放されると、該弁座Ｃを閉塞していた該ボールＣが該弁座Ｃから（自然落下して）離れて、大気が該定容室に入り、該定容室中に残留している低粘度希釈水が該出水口より排水して該定容室が空になることにより、次回の充填動作が出来るようになることを特徴とする。
【００１８】
該定容器（３）におけるさらなる構成（ハードウェア）の詳細においては、
該弁Ａと該弁Ｂとを連動させ電磁力で駆動するために、該ボディの外周部には該出水口に連通し該弁座Ａに連通する管路である（中空円柱状の）ガイドを設け、該ガイドの外周部にはコ字形状のヨーク（磁気回路形成用固定鉄心）を有する電磁コイルを設け、該ガイドの内周部には該ヨークと結合する固定鉄心と、該弁座Ａ内を貫通して該弁座Ｂまで延出する延長棒である収縮部を有し該ガイド中を移動出来る可動鉄心（アマチュア）と、該固定鉄心と該可動鉄心との間にあるスプリングと、を収納し、該収縮部の端部には弁体であるアマチュアシートを設け、
該出水口は該ガイドと該ガイドの管路口である該弁座Ａとの間に設置し、該給液口に連通する管路口である弁座Ｂは該弁座Ａに対向するように設置し、該弁座Ｂと該弁座Ａとの間にアマチュアシートを設置し、
該弁Ｂは該アマチュアシートの前端の平面部が該弁座Ｂ（管路端面）を離接動（開放動作と閉塞動作）することで開閉され、該弁Ａは該アマチュアシートの後端の平面部が該弁座Ａ（管路端面）を離接動することで開閉されるが、該弁Ｂの開閉と該弁Ａの開閉は連動するものの一方が開弁（閉弁）になれば他方が閉弁（開弁）になるものにおいて、
【００１９】
作用（ソフトウェア）的においては、
該電磁コイルの停電（無通電）時には、該固定鉄心と該可動鉄心との間にあるスプリングが伸びているので、該アマチュアシートは該弁座Ｂを閉塞し該弁Ｂは閉弁し該給液口と該定容室とを閉塞していて、連動して該アマチュアシートは弁座Ａから離れ該弁Ａは開弁し該出水口と該定容室とを管路連通させていて、
該電磁コイルの通電による吸引力で該可動鉄心が該固定鉄心側へ移動する時には、該固定鉄心と該可動鉄心との間にあるスプリングが縮んでいるので、該アマチュアシートは該弁座Ｂから離れ該弁Ｂが開弁して該給液口と該定容室とを管路連通させ、連動して該アマチュアシートは該弁座Ａを閉塞し該弁Ａが閉弁して該出水口と該定容室とを閉塞させることができることを特徴とする。
【００２０】
また、目的を達成するために、本発明の課題解決手段２における電気洗浄機器用の液体洗剤投入装置は、
構成（ハードウェア）的には、
水を取り入れる入水口と出水口Ａと出水口Ｂとを有する弁本体と、該弁本体に接続され開弁により該入水口の水を該出水口Ａに通水させる電磁給水弁Ａと、該弁本体に接続され開弁により該入水口の水を該出水口Ｂに通水させる電磁給水弁Ｂと、を備える電磁給水弁（例えば、パイロット弁方式二連式電磁給水弁）と、
槽内に規定容量の液体洗剤が２種類蓄えることができ、洗剤Ｉ出口と洗剤II出口を備える液体洗剤槽と、
該液体洗剤槽から負圧吸引される所定使用量の液体洗剤を充填し、該電磁給水弁Ａから供給される水と混合して混合液として流出させることができる定容器と、
略Ｔ字形状の管からなり該電磁給水弁Ｂから供給される水の流水を利用して該液体洗剤槽の液体洗剤を吸引する負圧を発生させる吸引発生器と、
電気洗浄機器の洗浄槽に水の主注水供給と水と液体洗剤との混合液供給とを行う開放口と、該開放口に水と液体洗剤との混合液を送出する管路である給水口Ａと、該開放口に水の主注水供給を送出する管路である給水口Ｂと、を備える水ケースと、
管路口同士を接続して連通させる配管材（例えば、ゴム管、軟質ホース、硬質合成樹脂成形管）と、
から構成される液体洗剤投入装置であって、
【００２１】
構成（ハードウェア）の詳細においては、
該定容器は、外周部には給水口とボール弁体が収納できるベースＡと中空円柱の管路であるガイドＩと中空円柱の管路であるガイドIIと流出口とを有する容器本体のボディＡＩと、外部面側には給液口ＢＩと給液口ＢIIとを設け内部面側には該給液口ＢＩに連通する管路口である弁座ＢＩと該給液口ＢIIに連通する管路口である弁座ＢIIとを有する蓋体のボディＢＩと、外周部には出水口とガイドＩ嵌合口とガイドII嵌合口とフタ嵌合口とを有し内周部には該出水口の周囲にある凹状空間と通し穴Ｌと弁体が座る弁座Ｄを収納できる空間とを有するリンクと、外周部には該リンクのフタ嵌合口に接続するリンク嵌合口と該通し穴Ｌに接続する通し穴嵌合口とボディＡＩの流出口に接続する流出口嵌合口とを有し内周部には該出水口と該通し孔と該流出口とを管路連通させる通し穴Ｆを有する連結管路のフタと、該ボール弁体が収納できるベースＡ部に接続される弁体が座る弁座Ｃと真空口とを有する連結体と、が結合されて、１回の洗浄（濯ぎ）動作に必要な（所定使用量の）液体洗剤が充填できる空間である定容室が内部に形成されるボディ内に、該出水口と該定容室とを開閉する弁Ａ（洗剤流出開閉弁）と、該給液口ＢＩと該定容室とを開閉する弁ＢＩ（洗剤Ｉ流入開閉弁）と、該給液口ＢIIと該定容室とを開閉する弁ＢII（洗剤II流入開閉弁）と、該真空口と該定容室とを開閉する弁Ｃ（大気開放開閉弁）と、を備えており、
該弁Ａは、該リンクの凹状空間に入れられた（水の密度より低い）弁体のボールＡと、該リンクの弁座Ｄを収納できる空間に納められた弁座Ｄと、からなり、該ボールＡで該弁座Ｄを開閉することにより該出水口と該通し穴Ｆ経由で該定容室とを開閉（連通と閉塞）するものであり、
該弁Ｃは、該弁座Ｃと、該弁座Ｃと該ボール弁体が収納できるベースＡとの間に設けられる（水の密度より低い）弁体のボールＣと、からなり、該ボールＣで該弁座Ｃを開閉することにより該真空口と該定容室とを開閉（連通と閉塞）するものであり、
吸引発生器（アスピレータ）は、給水口と、該給水口と管路連通する出水口と、該給水口と該出水口との間に管の一部に断面を縮小及び拡大（管路の上流側を縮径し下流側を拡径）した箇所を設けた収縮口と、該収縮口に連通する真空発生口と、を備え、
管路口同士の接続については直接結合、或いは配管材及びボンド（接着剤／プライマー）、バインド（ホース抜止めバンド）等の結合助材等を用いて、該電磁給水弁Ａの該出水口Ａは該定容器の該給水口に接続され、該電磁給水弁Ｂの該出水口Ｂは該吸引発生器の該給水口に接続され、該定容器の該給液口Ｉは該液体洗剤槽の該洗剤Ｉ出口に接続され、該定容器の該給液口IIは該液体洗剤槽の該洗剤II出口に接続され、該定容器の該真空口は該吸引発生器の該真空発生口に接続され、該定容器の該出水口は該水ケースの該給水口Ａに接続され、該吸引発生器の該出水口は該水ケースの該給水口Ｂに接続され、
【００２２】
さらなる構成（ハードウェア）の詳細においては、
該ガイドＩの外周部にはヨーク（磁気回路形成用固定鉄心）を有する電磁コイルＩを設け、該ガイドＩの内周部には該ヨークと結合するセンタオリフィスＩのある固定鉄心Ｉと、端部に弁体のアマチュアシートＩを設けた収縮部Ｉを有する可動鉄心Ｉ（アマチュア）と、該固定鉄心Ｉと該可動鉄心Ｉの間に設けられるスプリングＩと、を収納し、該弁ＢＩは該アマチュアシートＩの平面部が該弁座ＢＩの平面部を離接動することで開閉され、
該ガイドIIの外周部にはヨーク（磁気回路形成用固定鉄心）を有する電磁コイルIIを設け、該ガイドIIの内周部には該ヨークと結合するセンタオリフィスIIのある固定鉄心IIと、端部に弁体のアマチュアシートIIを設けた収縮部IIを有する可動鉄心II（アマチュア）と、該固定鉄心IIと該可動鉄心IIの間に設けられるスプリングIIと、を収納し、該弁ＢIIは該アマチュアシートIIの平面部が該弁座ＢIIの平面部を離接動することで開閉されるものにおいて、
【００２３】
作用（ソフトウェア）的においては、
まず、該電磁給水弁Ｂを通電させると該吸引発生器に水が通水され該給水口Ｂを通り該水ケースの開放口から電気洗浄機器の洗浄槽に水の主注水供給が行われ、該収縮口の所で負圧が発生され、該負圧が該真空口から該定容室に伝わる時に該ボールＡが吸引負圧により該リンクの該弁座Ｄ側へ移動し、該出水口と該定容室が閉塞して該定容室内が負圧（真空）になりつつあり、次に、該定容器の電磁コイルＩと電磁コイルIIのどちらかを通電させると、該弁ＢＩと該弁ＢIIのどちらかが開弁となり、該給液口ＢＩと該給液口ＢIIのどちらかから液体洗剤が該定容室に吸引充填され、規定時間後に該電磁コイルＩと該電磁コイルIIの両方を停電させ該弁ＢＩと該弁ＢIIの両方を閉弁させると液体洗剤の吸引充填が完了するが、負圧の関係で該規定時間以内に該定容室が液体洗剤で満杯になると該ボールＣが該弁座Ｃを閉塞して該弁Ｃが閉弁し液体洗剤吸引が即時停止されて今回の充填動作が完了（満杯後の待機状態）し、
【００２４】
そして、該電磁給水弁Ｂを停電（或いは通電維持）し該電磁給水弁Ａを通電させると該定容室に水が通水（注水）され、該定容室内に掛かる該電磁給水弁Ａからの通水圧により、該ボールＣによる該弁座Ｃの閉塞を維持しながら、吸引充填された液体洗剤と水の混合液が該流出口から該通し穴Ｆを通り該出水口から流出して該給水口Ａを通り該水ケースの開放口から電気洗浄機器の洗浄槽に水と液体洗剤との混合液供給が行われることになり、さらに該電磁給水弁Ａからの水が該定容室に流入すると、該定容室内の混合液は水に近い状態まで希釈され粘度が低下して低粘度希釈水となり、該ガイドＩの内周部を通り、該固定鉄心ＩのセンタオリフィスＩを通り、該通し穴Ｌを通り、該通し穴Ｆを通り、該弁Ａを通り、該出水口から流出し液体洗剤の固化を防ぐことができ、また該ガイドIIの内周部を通り、該固定鉄心IIのセンタオリフィスIIを通り、該通し穴Ｌを通り、該通し穴Ｆを通り、該弁Ａを通り、該出水口から流出し液体洗剤の固化を防ぐことができ、
【００２５】
最後に、該電磁給水弁Ｂ及び該電磁給水弁Ａを両方共に停電させると、該吸引発生器及び該定容器に通水されていた水が止水し、該定容室内に掛かっていた該電磁給水弁Ａからの通水圧が無くなると、大気が該給水口Ｂから順に該出水口、該真空発生口、該真空口に入り、管路内が大気開放されると、該弁座Ｃを閉塞していた該ボールＣが該弁座Ｃから（自然落下して）離れて、大気が該定容室に入り、該定容室中に残留している低粘度希釈水は該出水口より排水して該定容室が空になることにより、次回の充填動作が出来るようになり、
該定容器の該電磁コイルＩと該電磁コイルIIのどちかの動作選定によって２種類の液体洗剤が投入出来ることを特徴とする。
【００２６】
また、目的を達成するために、本発明の課題解決手段３における電気洗浄機器用の液体洗剤投入装置は、
構成（ハードウェア）的には、
水を取り入れる入水口と出水口Ａと出水口Ｂとを有する弁本体と、該弁本体に接続され開弁により該入水口の水を該出水口Ａに通水させる電磁給水弁Ａと、該弁本体に接続され開弁により該入水口の水を該出水口Ｂに通水させる電磁給水弁Ｂと、を備える電磁給水弁（例えば、パイロット弁方式二連式電磁給水弁）と、
槽内に規定容量の液体洗剤が２種類蓄えることができ、洗剤Ｉ出口と洗剤II出口を備える液体洗剤槽と、
該液体洗剤槽から負圧吸引される所定使用量の液体洗剤を充填し、該電磁給水弁Ａから供給される水と混合して混合液として流出させることができる定容器と、
略Ｔ字形状の管からなり該電磁給水弁Ｂから供給される水の流水を利用して該液体洗剤槽の液体洗剤を吸引する負圧を発生させる吸引発生器と、
電気洗浄機器の洗浄槽に水の主注水供給と水と液体洗剤との混合液供給とを行う開放口と、該開放口に水と液体洗剤との混合液を送出する管路である給水口Ａと、該開放口に水の主注水供給を送出する管路である給水口Ｂと、を備える水ケースと、
管路口同士を接続して連通させる配管材（例えば、ゴム管、軟質ホース、硬質合成樹脂成形管）と、
から構成される液体洗剤投入装置であって、
【００２７】
構成（ハードウェア）の詳細においては、
該定容器は、外周部にはボール弁体が収納できるベースＡと中空円柱の管路であるガイドＩと中空円柱の管路であるガイドIIと流出口とを有する容器本体のボディＡIIと、外部面側には給液口ＢＩと給液口ＢIIとを設け内部面側には該給液口ＢＩに連通する管路口である弁座ＢＩと該給液口ＢIIに連通する管路口である弁座ＢIIとを有する蓋体のボディＢIIと、外周部には給水口と出水口とガイドＩ嵌合口とガイドII嵌合口とフタ嵌合口とを有し内周部には該給水口とガイドＩ嵌合口とガイドII嵌合口とを管路連通する通し穴Ｌと該出水口の周囲にある凹状空間と弁体が座る弁座Ｄを収納できる空間とを有するリンクと、外周部には該リンクのフタ嵌合口に接続するリンク嵌合口とボディＡIIの流出口に接続する流出口嵌合口とを有し内周部には該出水口と該流出口とを管路連通させる通し穴Ｆを有する連結管路のフタと、該ボール弁体が収納できるベースＡ部に接続される弁体が座る弁座Ｃと真空口とを有する連結体と、が結合されて、１回の洗浄（濯ぎ）動作に必要な（所定使用量の）液体洗剤が充填できる空間である定容室が内部に形成されるボディ内に、該出水口と該定容室とを開閉する弁Ａ（洗剤流出開閉弁）と、該給液口ＢＩと該定容室とを開閉する弁ＢＩ（洗剤Ｉ流入開閉弁）と、該給液口ＢIIと該定容室とを開閉する弁ＢII（洗剤II流入開閉弁）と、該真空口と該定容室とを開閉する弁Ｃ（大気開放開閉弁）と、を備えており、
該弁Ａは、該リンクの凹状空間に入れられた（水の密度より低い）弁体のボールＡと、該リンクの弁座Ｄを収納できる空間に納められた弁座Ｄと、からなり、該ボールＡで該弁座Ｄを開閉することにより該出水口と該通し穴Ｆ経由で該定容室とを開閉（連通と閉塞）するものであり、
該弁Ｃは、該弁座Ｃと、該弁座Ｃと該ボール弁体が収納できるベースＡとの間に設けられる（水の密度より低い）弁体のボールＣと、からなり、該ボールＣで該弁座Ｃを開閉することにより該真空口と該定容室とを開閉（連通と閉塞）するものであり、
吸引発生器（アスピレータ）は、給水口と、該給水口と管路連通する出水口と、該給水口と該出水口との間に管の一部に断面を縮小及び拡大（管路の上流側を縮径し下流側を拡径）した箇所を設けた収縮口と、該収縮口に連通する真空発生口と、を備え、
管路口同士の接続については直接結合、或いは配管材及びボンド（接着剤／プライマー）、バインド（ホース抜止めバンド）等の結合助材等を用いて、該電磁給水弁Ａの該出水口Ａは該定容器の該給水口に接続され、該電磁給水弁Ｂの該出水口Ｂは該吸引発生器の該給水口に接続され、該定容器の該給液口Ｉは該液体洗剤槽の該洗剤Ｉ出口に接続され、該定容器の該給液口IIは該液体洗剤槽の該洗剤II出口に接続され、該定容器の該真空口は該吸引発生器の該真空発生口に接続され、該定容器の該出水口は該水ケースの該給水口Ａに接続され、該吸引発生器の該出水口は該水ケースの該給水口Ｂに接続され、
【００２８】
さらなる構成（ハードウェア）の詳細においては、
該ガイドＩの外周部にはヨーク（磁気回路形成用固定鉄心）を有する電磁コイルＩを設け、該ガイドＩの内周部には該ヨークと結合するセンタオリフィスＩのある固定鉄心Ｉと、端部に弁体のアマチュアシートＩを設けた収縮部Ｉを有する可動鉄心Ｉ（アマチュア）と、該固定鉄心Ｉと該可動鉄心Ｉの間に設けられるスプリングＩと、を収納し、該弁ＢＩは該アマチュアシートＩの平面部が該弁座ＢＩの平面部を離接動することで開閉され、
該ガイドIIの外周部にはヨーク（磁気回路形成用固定鉄心）を有する電磁コイルIIを設け、該ガイドIIの内周部には該ヨークと結合するセンタオリフィスIIのある固定鉄心IIと、端部に弁体のアマチュアシートIIを設けた収縮部IIを有する可動鉄心II（アマチュア）と、該固定鉄心IIと該可動鉄心IIの間に設けられるスプリングIIと、を収納し、該弁ＢIIは該アマチュアシートIIの平面部が該弁座ＢIIの平面部を離接動することで開閉されるものにおいて、
【００２９】
作用（ソフトウェア）的においては、
まず、該電磁給水弁Ｂを通電させると該吸引発生器に水が通水され該給水口Ｂを通り該水ケースの開放口から電気洗浄機器の洗浄槽に水の主注水供給が行われ、該収縮口の所で負圧が発生され、該負圧が該真空口から該定容室に伝わる時に該ボールＡが吸引負圧により該リンクの該弁座Ｄ側へ移動し、該出水口と該定容室が閉塞して該定容室内が負圧（真空）になりつつあり、次に、該定容器の電磁コイルＩと電磁コイルIIのどちらかを通電させると、該弁ＢＩと該弁ＢIIのどちらかが開弁となり、該給液口ＢＩと該給液口ＢIIのどちらかから液体洗剤が該定容室に吸引充填され、規定時間後に該電磁コイルＩと該電磁コイルIIの両方を停電させ該弁ＢＩと該弁ＢIIの両方を閉弁させると液体洗剤の吸引充填が完了するが、負圧の関係で該規定時間以内に該定容室が液体洗剤で満杯になると該ボールＣが該弁座Ｃを閉塞して該弁Ｃが閉弁し液体洗剤吸引が即時停止されて今回の充填動作が完了（満杯後の待機状態）し、
【００３０】
そして、該電磁給水弁Ｂを停電（或いは通電維持）し該電磁給水弁Ａを通電させると、水は該給水口から該通し穴Ｌに通り、該固定鉄心ＩのセンタオリフィスＩを通り該ガイドＩの内周部を通り該定容室の管路内を洗浄しながら通って、また該固定鉄心IIのセンタオリフィスIIを通り該ガイドIIの内周部を通り該定容室の管路内を洗浄しながら通って、該定容室に水が通水（注水）され、該定容室内に掛かる該電磁給水弁Ａからの通水圧により、該ボールＣによる該弁座Ｃの閉塞を維持しながら、吸引充填された液体洗剤と水の混合液が該流出口から該通し穴Ｆを通り該出水口から流出して該給水口Ａを通り該水ケースの開放口から電気洗浄機器の洗浄槽に水と液体洗剤との混合液供給が行われることになり、さらに該電磁給水弁Ａからの水が該定容室に流入すると、該定容室内の混合液は水に近い状態まで希釈され粘度が低下して低粘度希釈水となり、
【００３１】
最後に、該電磁給水弁Ｂ及び該電磁給水弁Ａを両方共に停電させると、該吸引発生器及び該定容器に通水されていた水が止水し、該定容室内に掛かっていた該電磁給水弁Ａからの通水圧が無くなると、大気が該給水口Ｂから順に該出水口、該真空発生口、該真空口に入り、管路内が大気開放されると、該弁座Ｃを閉塞していた該ボールＣが該弁座Ｃから（自然落下して）離れて、大気が該定容室に入り、該定容室中に残留している低粘度希釈水は該出水口より排水して該定容室が空になることにより、次回の充填動作が出来るようになり、
該定容器の該電磁コイルＩと該電磁コイルIIのどちかの動作選定によって２種類の液体洗剤が投入出来ることを特徴とする。
【発明の効果】
【００３２】
容器に充填された液体洗剤をポンプ加圧で洗濯槽に投入する液体洗剤投入装置から高価なポンプを無くしながら液体洗剤の投入量の計量高精度化が図れる。
本発明の使用により、水道水の水圧が最低値（例えば、０．０２ＭＰａ）にあっても最高値（例えば、１．０ＭＰａ）にあっても、定容室の容積のｎ倍（ｎ＝２，３，４，・・・，整数）の液体洗剤を精確に投入することができる。
【図面の簡単な説明】
【００３３】
【図１】水の圧力と負圧との関係図である。
【図２】負圧が異なる状態で定容器３に液体洗剤の充填時間と充填量との関係図である。
【図３ａ】定容器３を水ケース５から離した場合の本発明の実施例１の液体洗剤投入装置である。
【図３ｂ】定容器３と水ケース５とを近接させた場合の本発明の実施例１の液体洗剤投入装置である。
【図４】定容器３の外形構成図である。
【図５】定容器３の縦断面図である。
【図６】吸引発生器４の縦断面図である。
【図７】水ケース５の外形構成図である。
【図８ａ】定容器３と水ケース５を水平的に管路連通する実施例１の縦断面図である。
【図８ｂ】定容器３と水ケース５を段差を設けて管路連通する実施例１の縦断面図である。
【図９】逆止弁６を搭載する定容器３の構成図である。
【図１０】逆止弁６を搭載する吸引発生器４の構成図である。
【図１１】逆止弁６のベース６０４の平面図である。
【図１２】本発明の実施例２の定容器３の構成図である。
【図１３】本発明の実施例３の定容器３の構成図である。
【発明を実施するための形態】
【００３４】
吸引発生器４と定容器３を備える液体洗剤投入装置により、液体洗剤の投入量の計量高精度化という目的と、コンパクト（スリム）性を損なわずに実現した。
洗浄（洗濯）過程に１種類の液体洗剤の投入動作ができる本発明の実施例１における電気洗浄機器用の液体洗剤投入装置について説明する。
【実施例１】
【００３５】
本発明の実施例１の液体洗剤投入装置の構成（ハードウェア）を説明する。
本発明の実施例１の液体洗剤投入装置は、水を取り入れる入水口１０１と出水口Ａ１０２と出水口Ｂ１０３とを有する弁本体と、該弁本体に接続され開弁により該入水口１０１の水（水道水）を該出水口Ａ１０２に通水させる電磁給水弁Ａと、該弁本体に接続され開弁により該入水口１０１の水を該出水口Ｂ１０３に通水させる電磁給水弁Ｂと、を備える電磁給水弁１（例えば、パイロット弁方式二連式電磁給水弁）と、
槽内に規定容量（例えば、２リットル）の液体洗剤が蓄えることができ、洗剤出口２０１を備える液体洗剤槽２（図３ａ等参照）と、
該液体洗剤槽２から負圧吸引される所定使用量（例えば、２０ｃｃ）の液体洗剤を充填し、該電磁給水弁Ａから供給される水（例えば、毎分２リットル）と混合して混合液として流出させることができる定容器３（図４及び図５参照）と、
略Ｔ字形状（略Ｙ字形状でも良い。）の管（例えば、中空円柱、中空角柱）からなり該電磁給水弁Ｂから供給される水（例えば、毎分１５リットル）の流水を利用して該液体洗剤槽２の液体洗剤を吸引する負圧を発生させる吸引発生器４（図６参照）と、
電気洗浄機器の洗浄槽（洗濯機においては洗濯槽）に水（該電磁給水弁Ｂから供給される水）の主注水供給と水（該電磁給水弁Ａから供給される水）と液体洗剤との混合液供給とを行う開放口と、該開放口に水と液体洗剤との混合液を送出する管路である給水口Ａ５０１と、該開放口に水の主注水供給を送出する管路である給水口Ｂ５０２と、を備える水ケース５（図７参照）と、
管路口同士を接続して連通させる配管材（例えば、ゴム管、軟質ホース、硬質合成樹脂成形管）と、
から構成される。
本発明の実施例１の液体洗剤投入装置の構成を表す全体図（斜視図）を図３ａ（又は図３ｂ）に示す。
【００３６】
本発明の実施例１においては、該電磁給水弁１には洗浄槽への水の主注水用（電磁給水弁Ｂ）、液体洗剤と水との混合液添加用（電磁給水弁Ａ）に、二連式電磁給水弁を採用したが、洗浄水主注水用（電磁給水弁Ｂ）、液体洗剤と水との混合液添加用（電磁給水弁Ａ）、洗浄水すすぎ注水用（仮に電磁給水弁Ｃとする）に、三連式電磁給水弁を採用しても良いし、また、洗浄水主注水用（電磁給水弁Ｂ）、液体洗剤と水との混合液添加用（電磁給水弁Ａ）、洗浄水すすぎ注水用（仮に電磁給水弁Ｃとする）、乾燥工程用微量（噴霧）注水用（仮に電磁給水弁Ｄとする）に、四連式電磁給水弁等を採用しても良い。
また、注水量が異なる電磁給水弁Ａを複数用いて２種類の液体洗剤（例えば、洗剤、柔軟剤）の混合比を変えて、液体洗剤と水との混合液を添加させる三連式電磁給水弁や四連式電磁給水弁、五連式電磁給水弁を採用しても良い。
例えば、毎分５リットルの洗浄水すすぎ注水をさせたい場合は、例えば、電磁給水弁Ｃの開閉で該入水口１０１の水が流出する出水口を水ケース５に接続すると良い。
該電磁給水弁Ａからの水（注水）は、液体洗剤と水との混合液をつくる他、該定容室３０１３内の洗浄（液体洗剤の希釈、低濃度化）も兼ねている。
【００３７】
図４及び図５に示すように、本発明の実施例１における該定容器３のボディ３０１は、合成樹脂成形部材（例えば、ポリプロピレン樹脂）で成形され、外周部には出水口３１２と給水口３１３と真空口３０１７とを有し内周部には該出水口３１２に連通する管路口である弁座Ａ３０１３１と該真空口３０１７に連通する管路口である弁座Ｃ３０１３３とを有する容器本体のボディＡ３０１１と、
合成樹脂成形部材（例えば、ポリプロピレン樹脂）で成形され、外部面側には給液口３０１６を設け内部面側には該給液口３０１６に連通する管路口である弁座Ｂ３０１３２と水の密度より低い弁体のボールＣ３１０が収容できるベースＢ３０１２１とを有する蓋体のボディＢ３０１２と、
が結合されて形成される。
詳しくは、該ボディＡ３０１１と該ボディＢ３０１２とを、ネジ締め方式（例えば、圧入、かしめ、溶接、溶着等の他の接続方式でも良い。）で結合したものであり、結合部の真ん中には、水密を保持するために、Ｏリング（例えば、シリコンゴム等の弾性部材）等を装着してある。
本発明の実施例１における該ボディＡ３０１１は、該出水口３１２を有する部品と、該給水口３１３と該真空口３０１７とを有する部品と、の２つの部品で形成したが、一体形成しても良い。
【００３８】
該ボディ３０１の内部には、１回の洗浄動作に必要な（所定使用量の）液体洗剤が充填できる空間（例えば、充填容量２０ｃｃ）である定容室３０１３が形成される。
また、該ボディ３０１の内部には、該定容室３０１３から、水ケース５に送水するために洗剤流出開閉弁を設け、詳しくは該出水口３１２と該定容室３０１３とを開閉する弁Ａ３０２を設け、また、該液体洗剤槽２の液体洗剤を該定容室３０１３に送出するために洗剤流入開閉弁を設け、詳しくは該給液口３０１６と該定容室３０１３とを開閉する弁Ｂ３０３を設け、また、該定容室３０１３から、空気を抜くために大気開放開閉弁を設け、詳しくは該真空口３０１７と該定容室３０１３とを開閉する弁Ｃ３０４と、を備えている。
【００３９】
該弁Ｃ３０４は、該弁座Ｃ３０１３３と、該ベースＢ３０１２１と該弁座Ｃ３０１３３との間に設けられる該ボールＣ３１０と、からなる。
該弁座Ｃ３０１３３は、ゴム材で形成しても良いし、合成樹脂成形部材（例えば、ポリプロピレン樹脂）で形成しても良い。また、該ボディＡ３０１１とは別部品でも良いし、該ボディＡ３０１１との一体部品でも良い。
該ベースＢ３０１２１は、該弁座Ｃ３０１３３に対向するように、該ボディＢ３０１２に設けられている。
該ボールＣ３１０は、水や液体洗剤に浮く様に、密度が水より低い合成樹脂成形部材（例えば、ポリエステル樹脂）で形成した。該ボールＣ３１０で該弁座Ｃ３０１３３を開閉することにより、該真空口３０１７と該定容室３０１３とを開閉（管路連通と管路閉塞）するものである。
該真空口３０１７は、液体洗剤の充填で該弁Ｃ３０４が閉弁すると、極度の真空（負圧）状態になる恐れがある。そのために、該ボールＣ３１０が該弁座Ｃ３０１３３に過度に張り付き（最悪の場合食い込み発生）、大気開放に伴う自然落下による開弁動作が阻害されることが予想される。そのような状態を防止するために、該弁座Ｃ３０１３３と該真空口３０１７との間に、規定の極度の真空（負圧）状態で大気流入ができる逆止弁を設けても良い。
【００４０】
該吸引発生器４は、給水口４０１と、該給水口４０１と管路連通する出水口４０２と、該給水口４０１と該出水口４０２との間に管の一部に断面を縮小及び拡大（詳しくは管路の上流側を縮径し下流側を拡径した形状、或いは圧力差ｐ１−ｐ２を測定するときに用いられるノズル、オリフィス、ベンチュリ管等を応用した形状としても良い。）した箇所を設けた収縮口４０３と、該収縮口４０３に連通する真空発生口４０４と、を備える、いわゆるアスピレータ（吸気器）である。
詳しくは、流体（水、空気）は、ベンチュリと呼ばれる流路を絞った部位を通過すると、ベンチュリ効果により流体の流速が上がり、流体圧より圧力が低下する（低下の度合いはベルヌーイの定理によりわかる）現象がおこる。ベンチュリ効果は、流体の流れを絞ることによって、流速を増加させて、低速部にくらべて低い圧力を発生させる機構である。  該吸引発生器４はこのベンチュリ効果を応用したものであり、合成樹脂成形部材（例えば、ポリプロピレン樹脂）で一体成形で形成した。
本発明の実施例１では、吸引発生器４を独立な部品で形成して、該水ケース５に接続したが、該水ケース５の一部分とすることもできる。
【００４１】
管路口同士の接続については、ネジ締め方式（例えば、圧入、かしめ、溶接、溶着等の他の接続方式でも良い。）で直接結合をするか、或いは該配管材及びボンド（接着剤／プライマー）やバインド（ホース抜止めバンド）等の結合助材（水密保持剤）を用いて、該電磁給水弁Ａの該出水口Ａ１０２は該定容器３の該給水口３１３に接続され、該電磁給水弁Ｂの該出水口Ｂ１０３は該吸引発生器４の該給水口４０１に接続され、該定容器３の該給液口３０１６は該液体洗剤槽２の該洗剤出口２０１に接続され、該定容器３の該真空口３０１７は該吸引発生器４の該真空発生口４０４に接続され、該定容器３の該出水口３１２は該水ケース５の該給水口Ａ５０１に接続され、該吸引発生器４の該出水口４０２は該水ケース５の該給水口Ｂ５０２に接続される。
直接結合をする場合は、必要により、各接続部の真ん中には、水密を保持するために、Ｏリング（例えば、シリコンゴム等の弾性部材）等を装着すると良い。
【００４２】
該水ケース５は、合成樹脂成形部材（例えば、ポリプロピレン樹脂）で形成したが、分離させて電気洗浄機器の洗浄槽の一部品とすることもできる。
該水ケース５の開放口には、粉末洗剤や消費者好みの柔軟剤等が収納出来る引出ケースを入れることができる。
該給水口Ｂ５０２から流出する水が引出ケースに注水されることにより、粉末洗剤や消費者好みの柔軟剤等が溶解されて、電気洗浄機器の洗浄槽にその混合液が供給される。
【００４３】
図９と図１１に示すように、水道水の低水圧の影響で該電磁給水弁Ａの閉塞が弱い場合は、該給水口３１３に逆止弁６を設けると良い。
該逆止弁６にはベース６０４と弁芯６０１が設けられている。該ベース６０４はリング６０４１に囲まれる小リング６０４３と該リング６０４１とから構成される。該小リング６０４３と該リング６０４１との間に、流体通し穴６０４２が設けられる。該弁芯６０１のガイドは該小リング６０４３の中にあり、該弁芯６０１のガイドの外にスプリング６０２があり、該弁芯６０１の上にＯリング６０３が設けられている。
また、図１０と図１１に示すように、水道水の低水圧の影響で該電磁給水弁Ｂの閉塞が弱い場合は、該給水口４０１に逆止弁６を設けると良い。
【００４４】
本発明の実施例１の液体洗剤投入装置の作用（ソフトウェア）を説明する。
ユーザは本発明の実施例１の液体洗剤投入装置を搭載する電気洗浄機器（例えば、電気洗濯機）を使う時は、先に何回か洗濯ができる量の液体洗剤（例えば、洗濯用洗剤、柔軟剤入り洗濯用洗剤）を液体洗剤槽２に入れておく必要がある。
その状態で、まず、該電磁給水弁Ｂを通電させると該吸引発生器４に水が通水され該給水口Ｂ５０２を通り該水ケース５の開放口５０３から電気洗浄機器の洗浄槽に水の主注水供給が行われる。
この時の液体洗剤の投入前の初期時における各弁の状態は次の通りです。
電磁給水弁Ａ：閉弁
電磁給水弁Ｂ：開弁
定容室の弁Ａ：開弁
定容室の弁Ｂ：閉弁
定容室の弁Ｃ：開弁
該定容器３の該定容室３０１３には水がないために、自重のため該ボールＣ３１０が該ベースＢ３０１２１に落ちていて、該弁Ｃ３０４が開弁になっている。
該吸引発生器４の通水により該収縮口４０３の所で負圧が発生され、該弁Ｃ３０４経由で該定容器３０１３内の大気（空気）が吸引されているが、該弁Ａ３０２が開弁のために、該出水口３１２と水ケース５の該給水口Ａ５０１とが大気に管路連通されているために、何も起こらない。また、該弁Ｂ３０３が閉弁状態にあるために液体洗剤槽２の液体洗剤は該定容室３０１３へは流れていかない。
【００４５】
次に該弁Ｂ３０３を開弁させ該弁Ａ３０２を閉弁させると、該収縮口４０３の所で発生されている負圧により、該真空口３０１７から該定容室３０１３が減圧（真空に向かう）されると、該給液口３０１６から液体洗剤が該定容室３０１３に吸引充填される。
この時の液体洗剤の充填時における各弁の状態は次の通りです。
電磁給水弁Ａ：閉弁
電磁給水弁Ｂ：開弁
定容室の弁Ａ：閉弁
定容室の弁Ｂ：開弁
定容室の弁Ｃ：開弁
詳しくは、該弁Ｂ３０３を開弁にすると、該給液口３０１６と該定容室３０１３が管路連通されるので、液体洗剤槽２の液体洗剤は、該定容室３０１３に流れていくことが可能な状態になる。
そして、該弁Ａ３０２を閉弁にすると、該給水口３１３が電磁給水弁Ａで閉塞されているので、該出水口３１２と該定容室３０１３との管路が閉塞されると同時に、該定容室３０１３内が負圧（真空）になり、液体洗剤槽２の液体洗剤が該負圧のため給液口３０１６から定容室３０１３に吸引される。
【００４６】
規定時間（例えば、１８秒）後に、該弁Ｂ３０３を閉弁させ該弁Ａ３０２を開弁させると、液体洗剤の吸引充填が強制終了するが、該負圧の関係で該規定時間（例えば、１８秒）以内に、該定容室３０１３が液体洗剤で満杯になると、該ボールＣ３１０が該弁座Ｃ３０１３３を閉塞して該弁Ｃ３０４が閉弁し、液体洗剤吸引が即時停止されて、今回の充填動作が完了する。（液体洗剤の吸引充填の強制終了前の満杯後の待機状態に移る。）
この時の満杯後の待機状態における各弁の状態は次の通りです。
電磁給水弁Ａ：閉弁
電磁給水弁Ｂ：開弁
定容室の弁Ａ：閉弁
定容室の弁Ｂ：開弁
定容室の弁Ｃ：閉弁
【００４７】
満杯前に液体洗剤の吸引充填が強制終了した場合の各弁の状態は次の通りです。
電磁給水弁Ａ：閉弁
電磁給水弁Ｂ：開弁
定容室の弁Ａ：閉弁
定容室の弁Ｂ：閉弁
定容室の弁Ｃ：開弁
【００４８】
水の圧力と負圧との関係は図１の通りです。図２は負圧が異なる状態での該定容器３０１３に充填できる液体洗剤の充填時間と充填量との関係図です。図２にあるＰ１は高水圧（例えば、１．０ＭＰａ）での負圧で、Ｐ２は低水圧（例えば、０．０２ＭＰａ）での負圧です。
水道水の水圧のばらつきで、水の流れるスピードが変わり、吸引発生器４で発生する負圧も大きく変わる共に、液体洗剤の該定容室３０１３に流れるスピードも変わる。例えば、充填容量２０ｃｃの該定容室３０１３の場合、水圧が例えば、０．０２ＭＰａ（低水圧）になると、該定容室３０１３を満杯にするには、約２０秒が掛かるが、水圧が例えば、１．０ＭＰａ（高水圧）になると、該定容室３０１３を満杯にするには、約５秒が掛かる。
該弁Ａ３０２の閉弁から開弁までの時間を最悪の２０秒に設定する場合、水圧が例えば、１．０ＭＰａになると、該定容室３０１３を負圧（真空）にするために最初の５秒の間は弁Ｃが開弁しているが、該定容室３０１３が負圧（真空）になると、液体洗剤は５秒で該定容室３０１３が満杯にされ、液体洗剤の浮力で弁Ｃが閉弁になり、負圧が該定容室３０１３に影響しなくなるために、液体洗剤槽２の液体洗剤も該定容室３０１３に入れなくなる。
【００４９】
そして、該電磁給水弁Ｂを停電（無通電）或いは通電維持し、該電磁給水弁Ａを通電させると、該定容室３０１３に水が通水（注水）され、該定容室３０１３内に掛かる該電磁給水弁Ａからの通水圧により、該ボールＣ３１０による該弁座Ｃ３０１３３の閉塞を維持（開弁している時は強制閉塞）しながら、吸引充填された液体洗剤と水の混合液が該出水口３１２から流出して該給水口Ａ５０１を通り該水ケース５の開放口５０３から電気洗浄機器の洗浄槽に水と液体洗剤との混合液供給が行われる。
さらに該電磁給水弁Ａからの水が該定容室３０１３に流入すると、該定容室３０１３内の混合液は水に近い状態まで希釈され粘度が低下して低粘度希釈水（最後は水道水そのものとなる。）となり、該定容室３０１３内と該弁Ａ３０２とがきれいに洗浄される。
この時の注水状態における各弁の状態は次の通りです。
電磁給水弁Ａ：開弁
電磁給水弁Ｂ：閉弁或いは開弁
定容室の弁Ａ：開弁
定容室の弁Ｂ：閉弁
定容室の弁Ｃ：閉弁
【００５０】
最後に、該電磁給水弁Ｂ及び該電磁給水弁Ａを両方共に停電（無通電）させると、該吸引発生器４及び該定容器３に通水されていた水が止水する。該定容室３０１３内に掛かっていた該電磁給水弁Ａからの通水圧が無くなると、大気が該給水口Ｂ５０２から順に該出水口４０２、該真空発生口４０４、該真空口３０１７に入る。そして、管路内が大気開放されると、該弁座Ｃ３０１３３を閉塞していた該ボールＣ３１０が、自然落下して該弁座Ｃ３０１３３から離れて、大気が該定容室３０１３に入り、該定容室３０１３中に残留している低粘度希釈水は、該出水口３１２より排水して該定容室３０１３内が空（からっぽ）になる。
そして、次回の充填動作が出来るようになる。
この時の該定容室３０１３の排水時における各弁の状態は次の通りです。
電磁給水弁Ａ：閉弁
電磁給水弁Ｂ：閉弁
定容室の弁Ａ：開弁
定容室の弁Ｂ：閉弁
定容室の弁Ｃ：開弁
【００５１】
排水により該定容室３０１３内が空（からっぽ）になるという表現をとったが、実際には該水ケース５の該給水口Ａ５０１の位置や該定容室３０１３の該出水口３１２の位置により、該給水口Ａ５０１と該出水口３１２とが管路連通されている関係から、完全なる空にはならない場合がある。
図８ａのように、該給水口Ａ５０１が該出水口３１２と水平位置位置にある或いは該位置より低い場合は、ほとんど空になる場合が多い。
図８ｂのように、該給水口Ａ５０１が該出水口３１２より高い場合、完全なる空にはならない場合がある。３０１３５は実質の充填容量或いは排水できる水量を表す。
【００５２】
１回の動作で該定容室３０１３の容積（実質の充填容量３０１３５の容積で、例えば、２０ｃｃ）に相当する液体洗剤が投入できるが、多くの液体洗剤を投入しようとする場合は、１回、２回、・・・の追加動作で、容積のｎ倍（ｎ＝２，３，４，・・・，整数）の液体洗剤が投入できる。
また、該定容室３０１３の容積を変えることもできる。例えば、１０ｃｃに設定すると、１０ｃｃ或いはｎ倍（ｎ＝２，３，４，・・・，整数）の液体洗剤が投入できる。
【００５３】
本発明の実施例１の液体洗剤投入装置において、液体洗剤投入の各工程における各弁の状態は次の表１の通りです。
【００５４】
【表１】
2011067604.tif 000003
【００５５】
本発明の実施例１の液体洗剤投入装置においては、水道水の水圧が最低値（例えば、０．０２ＭＰａ）にあっても最高値（例えば、１．０ＭＰａ）にあっても、該定容室３０１３の容積のｎ倍（ｎ＝２，３，４，・・・，整数）の液体洗剤を精確に投入することができることが特徴になっている。
また、液体洗剤の投入のみならず、その他の液体剤（例えば、漂白剤、軟化剤、滅菌液など）の投入にも適用できる。
【００５６】
本発明の実施例１の液体洗剤投入装置の該定容器３におけるさらなる構成（ハードウェア）の詳細を図４及び図５を基に説明する。
該弁Ａ３０２と該弁Ｂ３０３とを連動させ電磁力で駆動するために、該ボディ３０１の外周部には該出水口３１２に連通し、該弁座Ａ３０１３１に連通する管路であるガイド３０１８を設け、該ガイド３０１８の外周部にはヨークを有する電磁コイル３０５を設け、該ガイド３０１８の内周部には該ヨークと結合する固定鉄心３０６と、該弁座Ａ３０１３１内を貫通して該弁座Ｂ３０１３２まで延出する延長棒である収縮部３０７１を有し該ガイド３０１８中を移動出来る可動鉄心３０７と、該固定鉄心３０６と該可動鉄心３０７との間にあるスプリング３０９と、を収納し、該収縮部３０７１の端部には弁体であるアマチュアシート３０８を設けた。
本発明の実施例１は、いわゆる直動弁方式電磁三方弁の構成である。
【００５７】
詳しくは、該出水口３１２は、該ガイド３０１８と該ガイド３０１８の管路口である該弁座Ａ３０１３１との間に設置し、該給液口３０１６に連通する管路口である弁座Ｂ３０１３２は該弁座Ａ３０１３１に対向するように設置し、該弁座Ｂ３０１３２と該弁座Ａ３０１３１との間にアマチュアシート３０８を設置した。
該弁Ｂ３０３は、該アマチュアシート３０８の前端３０８１が該弁座Ｂ３０１３２を離接動することで開閉される。
該弁Ａ３０２は、該アマチュアシート３０８の後端３０８２が該弁座Ａ３０１３１を離接動することで開閉される。
該弁Ｂの開閉と該弁Ａの開閉は次の様に連動する。
該弁Ｂ（一方）が開弁になれば該弁Ａ（他方）が閉弁し、該弁Ｂ（一方）が閉弁になれば該弁Ａ（他方）が開弁になる。
或いは、該弁Ａ（一方）が開弁になれば該弁Ｂ（他方）が閉弁し、該弁Ａ（一方）が閉弁になれば該弁Ｂ（他方）が開弁になる。
【００５８】
これらの作用（ソフトウェア）を説明する。
該電磁コイル３０５の停電（無通電）時には、該固定鉄心３０６と該可動鉄心３０７との間にあるスプリング３０９が伸びているので、該アマチュアシート３０８は該弁座Ｂ３０１３２を閉塞しているので、該弁Ｂ３０３は閉弁し、該給液口３０１６と該定容室３０１３とを閉塞している。
連動して、該アマチュアシート３０８は該弁座Ａ３０１３１から離れているので、該弁Ａ３０２は開弁し、該出水口３１２と該定容室３０１３とを管路連通させている。
【００５９】
該電磁コイル３０５の通電による吸引力で、該可動鉄心３０７が該固定鉄心３０６側へ移動する時には、該固定鉄心３０６と該可動鉄心３０７との間にあるスプリング３０９が縮んでいるので、該アマチュアシート３０８は該弁座Ｂ３０１３２から離れ該弁Ｂ３０３が開弁して、該給液口３０１６と該定容室３０１３とを管路連通させる。
連動して、該アマチュアシート３０８は弁座Ａ３０１３１を閉塞し該弁Ａ３０２が閉弁して、該出水口３１２と該定容室３０１３とを閉塞させる。
本発明の実施例１は、いわゆる直動弁方式電磁三方弁の作用である。
【００６０】
以上は、１種類の液体洗剤の投入動作ができる本発明の実施例１の液体洗剤投入装置において説明したが、実際には、洗浄の各工程別に異なる液体洗剤を投入できる液体洗剤投入装置が要望されている。例えば、洗浄過程の洗濯工程には洗濯洗剤を入れて、濯き工程には液体軟化剤或いは滅菌剤などを入れたいという場合である。
次は、洗浄（洗濯）過程に２種類の液体洗剤の投入動作ができる本発明の実施例２における電気洗浄機器用の液体洗剤投入装置について説明する。
【実施例２】
【００６１】
本発明の実施例２の液体洗剤投入装置の構成（ハードウェア）を説明する。
本発明の実施例２の液体洗剤投入装置は、水を取り入れる入水口１０１と出水口Ａ１０２と出水口Ｂ１０３とを有する弁本体と、該弁本体に接続され開弁により該入水口１０１の水を該出水口Ａ１０２に通水させる電磁給水弁Ａと、該弁本体に接続され開弁により該入水口１０１の水を該出水口Ｂ１０３に通水させる電磁給水弁Ｂと、を備える電磁給水弁１（例えば、パイロット弁方式二連式電磁給水弁）と、
槽内に規定容量（例えば、２リットル）の液体洗剤が２種類蓄えることができ、洗剤Ｉ出口２０２と洗剤II出口２０３を備える液体洗剤槽２（不図示）と、
該液体洗剤槽２から負圧吸引される所定使用量（例えば、２０ｃｃ）の液体洗剤を充填し、該電磁給水弁Ａから供給される水（例えば、毎分２リットル）と混合して混合液として流出させることができる定容器３（図１２参照）と、
略Ｔ字形状（略Ｙ字形状でも良い。）の管（例えば、中空円柱、中空角柱）からなり該電磁給水弁Ｂから供給される水（例えば、毎分１５リットル）の流水を利用して該液体洗剤槽２の液体洗剤を吸引する負圧を発生させる吸引発生器４（図６参照）と、
電気洗浄機器の洗浄槽（洗濯機においては洗濯槽）に水（該電磁給水弁Ｂから供給される水）の主注水供給と水（該電磁給水弁Ａから供給される水）と液体洗剤との混合液供給とを行う開放口５０３と、該開放口５０３に水と液体洗剤との混合液を送出する管路である給水口Ａ５０１と、該開放口５０３に水の主注水供給を送出する管路である給水口Ｂ５０２と、を備える水ケース５（図７参照）と、
管路口同士を接続して連通させる配管材（例えば、ゴム管、軟質ホース、硬質合成樹脂成形管）と、
から構成される。
【００６２】
本発明の実施例２においては、該電磁給水弁１には洗浄槽への水の主注水用（電磁給水弁Ｂ）、液体洗剤と水との混合液添加用（電磁給水弁Ａ）に、二連式電磁給水弁を採用したが、洗浄水主注水用（電磁給水弁Ｂ）、液体洗剤と水との混合液添加用（電磁給水弁Ａ）、洗浄水すすぎ注水用（仮に電磁給水弁Ｃとする）に、三連式電磁給水弁を採用しても良いし、また、洗浄水主注水用（電磁給水弁Ｂ）、液体洗剤と水との混合液添加用（電磁給水弁Ａ）、洗浄水すすぎ注水用（仮に電磁給水弁Ｃとする）、乾燥工程用微量（噴霧）注水用（仮に電磁給水弁Ｄとする）に、四連式電磁給水弁等を採用しても良い。
また、注水量が異なる電磁給水弁Ａを複数用いて２種類の液体洗剤（例えば、洗剤、柔軟剤）の混合比を変えて、液体洗剤と水との混合液を添加させる三連式電磁給水弁や四連式電磁給水弁、五連式電磁給水弁を採用しても良い。
例えば、毎分５リットルの洗浄水すすぎ注水をさせたい場合は、例えば、電磁給水弁Ｃの開閉で該入水口１０１の水が流出する出水口を水ケース５に接続すると良い。
該電磁給水弁Ａからの水（注水）は、液体洗剤と水との混合液をつくる他、該定容室３０１３内の洗浄（液体洗剤の希釈、低濃度化）も兼ねている。
【００６３】
図１２に示すように、本発明の実施例２における該定容器３のボディ３０１は、合成樹脂成形部材（例えば、ポリプロピレン樹脂）で成形され、外周部には給水口３１３とボール弁体が収納できるベースＡ３０１１３と中空円柱の管路であるガイドＩ３０１８Ａと中空円柱の管路であるガイドII３０１８Ｂと流出口３０１４とを有する容器本体のボディＡＩ３０１１１と、
合成樹脂成形部材（例えば、ポリプロピレン樹脂）で成形され、外部面側には給液口ＢＩ３０１６Ａと給液口ＢII３０１６Ｂとを設け、内部面側には該給液口ＢＩ３０１６Ａに連通する管路口である弁座ＢＩ３０１３２Ａと該給液口ＢII３０１６Ｂに連通する管路口である弁座ＢII３０１３２Ｂとを有する蓋体のボディＢＩ３０１２２と、
合成樹脂成形部材（例えば、ポリプロピレン樹脂）で成形され、外周部には出水口３１２とガイドＩ嵌合口とガイドII嵌合口とフタ嵌合口とを有し、内周部には該出水口３１２の周囲にある凹状空間と通し穴Ｌ３１１１と弁体が座る弁座Ｄ３１１２を収納できる空間とを有するリンク３１１と、
合成樹脂成形部材（例えば、ポリプロピレン樹脂）で成形され、外周部には該リンク３１１のフタ嵌合口に接続するリンク嵌合口と該通し穴Ｌ３１１１に接続する通し穴嵌合口とボディＡＩ３０１１１の流出口３０１４に接続する流出口嵌合口とを有し、内周部には該出水口３１２と該通し孔３１１１と該流出口３０１４とを管路連通させる通し穴Ｆ３１５１を有する連結管路のフタ３１５と、
合成樹脂成形部材（例えば、ポリプロピレン樹脂）で成形され、該ボール弁体が収納できるベースＡ３０１１３部に接続される弁体が座る弁座Ｃ３０１３３と真空口３０１７とを有する連結体と、
が結合されて形成される。
詳しくは、該ボディＡＩ３０１１１と該ボディＢＩ３０１２２とを、該ボディＡＩ３０１１１と該連結体とを、該ボディＡＩ３０１１１と該リンク３１１とを、該リンク３１１と該フタ３１５とを、ネジ締め方式（例えば、圧入、かしめ、溶接、溶着等の他の接続方式でも良い。）で結合したものであり、各結合部の真ん中には、水密を保持するために、Ｏリング（例えば、シリコンゴム等の弾性部材）を装着してある。
【００６４】
該ボディ３０１の内部には、１回の洗浄（又は濯ぎ、仕上げ）動作に必要な（所定使用量の）液体洗剤が充填できる空間（例えば、充填容量２０ｃｃ）である定容室３０１３が形成される。
また、該ボディ３０１の内部には、該定容室３０１３から、水ケース５に送水するために洗剤流出開閉弁を設け、詳しくは該出水口３１２と該定容室３０１３とを開閉する弁Ａ３０２を設け、また、該液体洗剤槽２の液体洗剤Ｉを該定容室３０１３に送出するために洗剤Ｉ流入開閉弁を設け、詳しくは該給液口ＢＩ３０１６Ａと該定容室３０１３とを開閉する弁ＢＩを設け、また、該液体洗剤槽２の液体洗剤IIを該定容室３０１３に送出するために洗剤II流入開閉弁を設け、詳しくは該給液口ＢII３０１６Ｂと該定容室３０１３とを開閉する弁ＢIIを設け、また、該定容室３０１３から、空気を抜くために大気開放開閉弁を設け、詳しくは該真空口３０１７と該定容室３０１３とを開閉する弁Ｃ３０４と、を備えている。
【００６５】
該弁Ａ３０２は、該リンク３１１の凹状空間に入れられた弁体のボールＡ３１４と、該リンク３１１の弁座Ｄ３１１２を収納できる空間に納められた弁体が座る弁座Ｄ３１１２と、からなる。
該弁座Ｄ３１１２は、ゴム材で形成しても良いし、合成樹脂成形部材（例えば、ポリプロピレン樹脂）で形成しても良い。
該ボールＡ３１４は、水や液体洗剤に浮く様に、密度が水より低い合成樹脂成形部材（例えば、ポリエステル樹脂）で形成した。
該ボールＡ３１４で該弁座Ｄ３１１２を開閉することにより該出水口３１２と該通し穴Ｆ３１５１経由で該定容室３０１３とを開閉（連通と閉塞）するものである。
【００６６】
該弁Ｃ３０４は、該弁座Ｃ３０１３３と、該弁座Ｃ３０１３３と該ボール弁体が収納できるベースＡ３０１１３との間に設けられる弁体のボールＣ３１０と、からなる。
該弁座Ｃ３０１３３は、ゴム材で形成しても良いし、合成樹脂成形部材（例えば、ポリプロピレン樹脂）で形成しても良い。該連結体と別部品でも良いし、該連結体と一体部品でも良い。
該ボール弁体が収納できるベースＡ３０１１３は、該弁座Ｃ３０１３３に対向するように、該ボディＡＩ３０１１１に設けられている。
該ボールＣ３１０は、水や液体洗剤に浮く様に、密度が水より低い合成樹脂成形部材（例えば、ポリエステル樹脂）で形成した。該ボールＣ３１０で該弁座Ｃ３０１３３を開閉することにより、該真空口３０１７と該定容室３０１３とを開閉（管路連通と管路閉塞）するものである。
該真空口３０１７は、液体洗剤の充填で該弁Ｃ３０４が閉弁すると、極度の真空（負圧）状態になる恐れがある。そのために、該ボールＣ３１０が該弁座Ｃ３０１３３に過度に張り付き（最悪の場合食い込み発生）、大気開放に伴う自然落下による開弁動作が阻害されることが予想される。そのような状態を防止するために、該弁座Ｃ３０１３３と該真空口３０１７との間に、規定の極度の真空（負圧）状態で大気流入ができる逆止弁を設けても良い。
【００６７】
該吸引発生器４は、給水口４０１と、該給水口４０１と管路連通する出水口４０２と、該給水口４０１と該出水口４０２との間に管の一部に断面を縮小及び拡大（詳しくは管路の上流側を縮径し下流側を拡径した形状、或いは圧力差ｐ１−ｐ２を測定するときに用いられるノズル、オリフィス、ベンチュリ管等を応用した形状としても良い。）した箇所を設けた収縮口４０３と、該収縮口４０３に連通する真空発生口４０４と、を備える、いわゆるアスピレータ（吸気器）である。
詳しくは、流体（水、空気）は、ベンチュリと呼ばれる流路を絞った部位を通過すると、ベンチュリ効果により流体の流速が上がり、流体圧より圧力が低下する（低下の度合いはベルヌーイの定理によりわかる）現象がおこる。ベンチュリ効果は、流体の流れを絞ることによって、流速を増加させて、低速部にくらべて低い圧力を発生させる機構である。  該吸引発生器４はこのベンチュリ効果を応用したものであり、合成樹脂成形部材（例えば、ポリプロピレン樹脂）で一体成形で形成した。
本発明の実施例２では、吸引発生器４を独立な部品で形成して、該水ケース５に接続したが、該水ケース５の一部分とすることもできる。
【００６８】
管路口同士の接続については、ネジ締め方式（例えば、圧入、かしめ、溶接、溶着等の他の接続方式でも良い。）で直接結合をするか、或いは該配管材及びボンド（接着剤／プライマー）やバインド（ホース抜止めバンド）等の結合助材（水密保持剤）を用いて、該電磁給水弁Ａの該出水口Ａ１０２は該定容器３の該給水口３１３に接続され、該電磁給水弁Ｂの該出水口Ｂ１０３は該吸引発生器４の該給水口４０１に接続され、該定容器３の該給液口Ｉ３０１６Ａは該液体洗剤槽２の該洗剤Ｉ出口２０２に接続され、該定容器３の該給液口II３０１６Ｂは該液体洗剤槽２の該洗剤II出口２０３に接続され、該定容器３の該真空口３０１７は該吸引発生器４の該真空発生口４０４に接続され、該定容器３の該出水口３１２は該水ケース５の該給水口Ａ５０１に接続され、該吸引発生器４の該出水口４０２は該水ケース５の該給水口Ｂ５０２に接続される。
直接結合をする場合は、必要により、各接続部の真ん中には、水密を保持するために、Ｏリング（例えば、シリコンゴム等の弾性部材）等を装着すると良い。
【００６９】
該水ケース５は、合成樹脂成形部材（例えば、ポリプロピレン樹脂）で形成したが、分離させて電気洗浄機器の洗浄槽の一部品とすることもできる。
該水ケース５の開放口５０３には、粉末洗剤や消費者好みの柔軟剤等が収納出来る引出ケースを入れることができる。
該給水口Ｂ５０２から流出する水が引出ケースに注水されることにより、粉末洗剤や消費者好みの柔軟剤等が溶解されて、電気洗浄機器の洗浄槽にその混合液が供給される。
【００７０】
該ガイドＩ３０１８Ａの外周部には、ヨーク（磁気回路形成用固定鉄心）を有する電磁コイルＩ３０５Ａを設け、該ガイドＩ３０１８Ａの内周部には該ヨークと結合するセンタオリフィスＩ３０６１のある固定鉄心Ｉ３０６Ａと、端部に弁体のアマチュアシートＩ３０８Ａを設けた収縮部Ｉ３０７１Ａを有する可動鉄心Ｉ３０７Ａ（アマチュア）と、該固定鉄心Ｉ３０６Ａと該可動鉄心Ｉ３０７Ａの間に設けられるスプリングＩ３０９Ａと、を収納し、該弁ＢＩは該アマチュアシートＩ３０８Ａが該弁座ＢＩ３０１３２Ａを離接動することで開閉される。
【００７１】
該ガイドII３０１８Ｂの外周部には、ヨーク（磁気回路形成用固定鉄心）を有する電磁コイルII３０５Ｂを設け、該ガイドII３０１８Ｂの内周部には該ヨークと結合するセンタオリフィスII３０６２のある固定鉄心II３０６Ｂと、端部に弁体のアマチュアシートII３０８Ｂを設けた収縮部II３０７１Ｂを有する可動鉄心II３０７Ｂ（アマチュア）と、該固定鉄心II３０６Ｂと該可動鉄心II３０７Ｂの間に設けられるスプリングII３０９Ｂと、を収納し、該弁ＢIIは該アマチュアシートII３０８Ｂが該弁座ＢII３０１３２Ｂを離接動することで開閉される。
【００７２】
図９と図１１に示すように、水道水の低水圧の影響で該電磁給水弁Ａの閉塞が弱い場合は、該給水口３１３に逆止弁６を設けると良い。
該逆止弁６にはベース６０４と弁芯６０１が設けられている。該ベース６０４はリング６０４１に囲まれる小リング６０４３と該リング６０４１とから構成される。該小リング６０４３と該リング６０４１との間に、流体通し穴６０４２が設けられる。該弁芯６０１のガイドは該小リング６０４３の中にあり、該弁芯６０１のガイドの外にスプリング６０２があり、該弁芯６０１の上にＯリング６０３が設けられている。
また、図１０と図１１に示すように、水道水の低水圧の影響で該電磁給水弁Ｂの閉塞が弱い場合は、該給水口４０１に逆止弁６を設けると良い。
【００７３】
本発明の実施例２の液体洗剤投入装置の作用（ソフトウェア）を説明する。
ユーザは本発明の実施例２の液体洗剤投入装置を搭載する電気洗浄機器（例えば、電気洗濯機）を使う時は、先に何回か洗濯ができる量の液体洗剤Ｉ（例えば、洗濯用洗剤）を、また先に何回か濯ぎ（仕上げ）ができる量の液体洗剤II（例えば、漂白剤、柔軟仕上剤）を、液体洗剤槽２に入れておく必要がある。
その状態で、まず、該電磁給水弁Ｂを通電させると該吸引発生器４に水が通水され該給水口Ｂ５０２を通り該水ケース５の開放口５０３から電気洗浄機器の洗浄槽に水の主注水供給が行われる。
この時の液体洗剤の投入前の初期時における各弁の状態は次の通りです。
電磁給水弁Ａ  ：閉弁
電磁給水弁Ｂ  ：開弁
定容室の弁Ａ  ：開弁
定容室の弁ＢＩ：閉弁
定容室の弁ＢII：閉弁
定容室の弁Ｃ  ：開弁
該定容器３の該定容室３０１３には水がないために、自重のため該ボールＣ３１０が該ボール弁体が収納できるベースＡ３０１１３に落ちていて、該弁Ｃ３０４が開弁になっている。
該吸引発生器４内の通水により該収縮口４０３の所で負圧が発生され、該真空口３０１７から該弁Ｃ３０４経由で該定容器３０１３内の大気（空気）が吸引されると、該負圧で該ボールＡ３１４が吸引負圧により該リンク３１１の該弁座Ｄ３１１２側へ移動して該弁Ａ３０２が閉弁し、該出水口３１２と該定容室３０１３が閉塞して、該定容器３０１３内が減圧されて負圧（真空）になっていく。しかし、該弁ＢＩが閉弁状態にあるために液体洗剤槽２の液体洗剤Ｉは該定容室３０１３へは流れていかない。同様に該弁ＢIIが閉弁状態にあるために液体洗剤槽２の液体洗剤IIは該定容室３０１３へは流れていかない。
【００７４】
次に、洗濯工程で液体洗剤Ｉの投入動作をする場合の作用を説明する。
該定容器３の電磁コイルＩ３０５Ａを通電させると、該弁ＢＩが開弁となり、該定容室３０１３内の負圧（真空）のために、該給液口ＢＩ３０１６Ａから液体洗剤Ｉが該定容室３０１３に吸引充填される。
この時の液体洗剤Ｉの充填時における各弁の状態は次の通りです。
電磁給水弁Ａ  ：閉弁
電磁給水弁Ｂ  ：開弁
定容室の弁Ａ  ：閉弁
定容室の弁ＢＩ：開弁
定容室の弁ＢII：閉弁
定容室の弁Ｃ  ：開弁
【００７５】
規定時間（例えば、１９秒）後に該電磁コイルＩ３０５Ａと該電磁コイルII３０５Ｂの両方を停電させ該弁ＢＩと該弁ＢIIの両方を閉弁させると液体洗剤Ｉの吸引充填が強制終了するが、負圧の関係で該規定時間（例えば、１９秒）以内に該定容室３０１３が液体洗剤Ｉで満杯になると該ボールＣ３１０が該弁座Ｃ３０１３３を閉塞して該弁Ｃ３０４が閉弁し液体洗剤Ｉ吸引が即時停止されて今回の充填動作が完了する。（液体洗剤Ｉの吸引充填の強制終了前の液体洗剤Ｉ満杯後の待機状態に移る。）
この時の液体洗剤Ｉ満杯後の待機状態における各弁の状態は次の通りです。
電磁給水弁Ａ  ：閉弁
電磁給水弁Ｂ  ：開弁
定容室の弁Ａ  ：閉弁
定容室の弁ＢＩ：開弁
定容室の弁ＢII：閉弁
定容室の弁Ｃ  ：閉弁
【００７６】
満杯前に液体洗剤Ｉの吸引充填が強制終了した場合の各弁の状態は次の通りです。
電磁給水弁Ａ  ：閉弁
電磁給水弁Ｂ  ：開弁
定容室の弁Ａ  ：閉弁
定容室の弁ＢＩ：閉弁
定容室の弁ＢII：閉弁
定容室の弁Ｃ  ：開弁
【００７７】
ここで、濯ぎ（仕上げ）工程で液体洗剤IIの投入動作をする場合の作用を説明する。
該定容器３の電磁コイルII３０５Ｂを通電させると、該弁ＢIIが開弁となり、該定容室３０１３内の負圧（真空）のために、該給液口ＢII３０１６Ｂから液体洗剤IIが該定容室３０１３に吸引充填される。
この時の液体洗剤IIの充填時における各弁の状態は次の通りです。
電磁給水弁Ａ  ：閉弁
電磁給水弁Ｂ  ：開弁
定容室の弁Ａ  ：閉弁
定容室の弁ＢＩ：閉弁
定容室の弁ＢII：開弁
定容室の弁Ｃ  ：開弁
【００７８】
規定時間（例えば、１９秒）後に該電磁コイルＩ３０５Ａと該電磁コイルII３０５Ｂの両方を停電させ該弁ＢＩと該弁ＢIIの両方を閉弁させると液体洗剤IIの吸引充填が強制終了するが、負圧の関係で該規定時間（例えば、１９秒）以内に該定容室３０１３が液体洗剤IIで満杯になると該ボールＣ３１０が該弁座Ｃ３０１３３を閉塞して該弁Ｃ３０４が閉弁し液体洗剤II吸引が即時停止されて今回の充填動作が完了する。（液体洗剤IIの吸引充填の強制終了前の液体洗剤II満杯後の待機状態に移る。）
この時の液体洗剤II満杯後の待機状態における各弁の状態は次の通りです。
電磁給水弁Ａ  ：閉弁
電磁給水弁Ｂ  ：開弁
定容室の弁Ａ  ：閉弁
定容室の弁ＢＩ：閉弁
定容室の弁ＢII：開弁
定容室の弁Ｃ  ：閉弁
【００７９】
満杯前に液体洗剤IIの吸引充填が強制終了した場合の各弁の状態は次の通りです。
電磁給水弁Ａ  ：閉弁
電磁給水弁Ｂ  ：開弁
定容室の弁Ａ  ：閉弁
定容室の弁ＢＩ：閉弁
定容室の弁ＢII：閉弁
定容室の弁Ｃ  ：開弁
【００８０】
そして、該電磁給水弁Ｂを停電（無通電）或いは通電維持し該電磁給水弁Ａを通電させると該定容室３０１３に水が通水（注水）され、該定容室３０１３内に掛かる該電磁給水弁Ａからの通水圧により、該ボールＣ３１０による該弁座Ｃ３０１３３の閉塞を維持（開弁している時は強制閉塞）しながら、吸引充填された液体洗剤と水の混合液が該流出口３０１４から該通し穴Ｆ３１５１を通り該出水口３１２から流出して該給水口Ａ５０１を通り該水ケース５の開放口５０３から電気洗浄機器の洗浄槽に水と液体洗剤との混合液供給が行われる。
さらに該電磁給水弁Ａからの水が該定容室３０１３に流入すると、該定容室３０１３内の混合液は水に近い状態まで希釈され粘度が低下して低粘度希釈水（最後は水道水そのものとなる。）となり、該ガイドＩ３０１８Ａの内周部を通り、該固定鉄心Ｉ３０６ＡのセンタオリフィスＩ３０６１を通り、該通し穴Ｌ３１１１を通り、該通し穴Ｆ３１５１を通り、該弁Ａ３０２を通り、該出水口３１２から流出し液体洗剤の固化を防ぐことができる。
また、該ガイドII３０１８Ｂの内周部を通り、該固定鉄心II３０６ＢのセンタオリフィスII３０６２を通り、該通し穴Ｌ３１１１を通り、該通し穴Ｆ３１５１を通り、該弁Ａ３０２を通り、該出水口３１２から流出し液体洗剤の固化を防ぐことができる。
この時の注水状態における各弁の状態は次の通りです。
電磁給水弁Ａ  ：開弁
電磁給水弁Ｂ  ：閉弁或いは開弁
定容室の弁Ａ  ：開弁
定容室の弁ＢＩ：閉弁
定容室の弁ＢII：閉弁
定容室の弁Ｃ  ：閉弁
【００８１】
最後に、該電磁給水弁Ｂ及び該電磁給水弁Ａを両方共に停電（無通電）させると、該吸引発生器４及び該定容器３に通水されていた水が止水する。該定容室３０１３内に掛かっていた該電磁給水弁Ａからの通水圧が無くなると、大気が該給水口Ｂ５０２から順に該出水口４０２、該真空発生口４０４、該真空口３０１７に入る。そして、管路内が大気開放されると、該弁座Ｃ３０１３３を閉塞していた該ボールＣ３１０が、自然落下して該弁座Ｃ３０１３３から離れて、大気が該定容室３０１３に入り、該定容室３０１３中に残留している低粘度希釈水は、該出水口３１２より排水して該定容室３０１３内が空（からっぽ）になる。
そして、次回の充填動作が出来るようになる。
この時の該定容室３０１３の排水時における各弁の状態は次の通りです。
電磁給水弁Ａ  ：閉弁
電磁給水弁Ｂ  ：閉弁
定容室の弁Ａ  ：開弁
定容室の弁ＢＩ：閉弁
定容室の弁ＢII：閉弁
定容室の弁Ｃ  ：開弁
このように、該定容器３の該電磁コイルＩ３０５Ａと該電磁コイルII３０５Ｂのどちかの動作選定によって、２種類の液体洗剤（液体洗剤Ｉ及び液体洗剤II）が投入出来ることを特徴とする。
本発明の実施例２の液体洗剤投入装置において、２種類の液体洗剤の切替機構を直動弁方式電磁三方弁を使用したが、例えば、直動弁方式電磁二方弁の構成を用いても良く、また弁の駆動方式には特に電磁式、電動式、手動式等は問わない。
また、例えば、直動弁方式電磁二方弁１つを搭載した、独立した定容器を二つ以上を組合せても良いし、該定容器３には弁Ｂは複数個搭載可能なので、必要により３種類以上の液体洗剤の切替機構を搭載した定容器としても良い。
【００８２】
排水により該定容室３０１３内が空（からっぽ）になるという表現をとったが、実際には該水ケース５の該給水口Ａ５０１の位置や該定容室３０１３の該出水口３１２の位置により、該給水口Ａ５０１と該出水口３１２とが管路連通されている関係から、完全なる空にはならない場合がある。
図８ａのように、該給水口Ａ５０１が該出水口３１２と水平位置位置にある或いは該位置より低い場合は、ほとんど空になる場合が多い。
図８ｂのように、該給水口Ａ５０１が該出水口３１２より高い場合、完全なる空にはならない場合がある。３０１３５は実質の充填容量或いは排水できる水量を表す。
【００８３】
１回の動作で該定容室３０１３の容積（実質の充填容量３０１３５の容積で、例えば、２０ｃｃ）に相当する液体洗剤（液体洗剤Ｉ及び液体洗剤II）が投入できるが、多くの液体洗剤Ｉを投入しようとする場合は、２回、３回、・・・の追加動作で、容積のｎ倍（ｎ＝２，３，４，・・・，整数）の液体洗剤Ｉが投入できる。同様に、多くの液体洗剤IIを投入しようとする場合は、１回、２回、・・・の追加動作で、容積のｎ倍（ｎ＝２，３，４，・・・，整数）の液体洗剤IIが投入できる。
【００８４】
本発明の実施例２の液体洗剤投入装置において、１種類目の液体洗剤Ｉ投入の各工程における各弁の状態は次の表２の通りです。
【００８５】
【表２】
2011067604.tif 000004
【００８６】
本発明の実施例２の液体洗剤投入装置において、２種類目の液体洗剤II投入の各工程における各弁の状態は次の表３の通りです。
【００８７】
【表３】
2011067604.tif 000005
【００８８】
次は、本発明の実施例２の液体洗剤投入装置（特に定容器３）の構成の一部を変更したもので、洗浄（洗濯）過程に２種類の液体洗剤の投入動作ができる本発明の実施例３における電気洗浄機器用の液体洗剤投入装置について説明する。
【実施例３】
【００８９】
本発明の実施例３の液体洗剤投入装置の構成（ハードウェア）を説明する。
本発明の実施例３の液体洗剤投入装置は、水を取り入れる入水口１０１と出水口Ａ１０２と出水口Ｂ１０３とを有する弁本体と、該弁本体に接続され開弁により該入水口１０１の水を該出水口Ａ１０２に通水させる電磁給水弁Ａと、該弁本体に接続され開弁により該入水口１０１の水を該出水口Ｂ１０３に通水させる電磁給水弁Ｂと、を備える電磁給水弁１（例えば、パイロット弁方式二連式電磁給水弁）と、
槽内に規定容量の液体洗剤（例えば、２リットル）が２種類蓄えることができ、洗剤Ｉ出口２０２と洗剤II出口２０３を備える液体洗剤槽２（不図示）と、
該液体洗剤槽２から負圧吸引される所定使用量（例えば、２０ｃｃ）の液体洗剤を充填し、該電磁給水弁Ａから供給される水（例えば、毎分２リットル）と混合して混合液として流出させることができる定容器３（図１３参照）と、
略Ｔ字形状（略Ｙ字形状でも良い。）の管（例えば、中空円柱、中空角柱）からなり該電磁給水弁Ｂから供給される水（例えば、毎分１５リットル）の流水を利用して該液体洗剤槽２の液体洗剤を吸引する負圧を発生させる吸引発生器４（図６参照）と、
電気洗浄機器の洗浄槽（洗濯機においては洗濯槽）に水（該電磁給水弁Ｂから供給される水）の主注水供給と水（該電磁給水弁Ａから供給される水）と液体洗剤との混合液供給とを行う開放口５０３と、該開放口５０３に水と液体洗剤との混合液を送出する管路である給水口Ａ５０１と、該開放口５０３に水の主注水供給を送出する管路である給水口Ｂ５０２と、を備える水ケース５（図７参照）と、
管路口同士を接続して連通させる配管材（例えば、ゴム管、軟質ホース、硬質合成樹脂成形管）と、
から構成される。
【００９０】
本発明の実施例３においては、該電磁給水弁１には洗浄槽への水の主注水用（電磁給水弁Ｂ）、液体洗剤と水との混合液添加用（電磁給水弁Ａ）に、二連式電磁給水弁を採用したが、洗浄水主注水用（電磁給水弁Ｂ）、液体洗剤と水との混合液添加用（電磁給水弁Ａ）、洗浄水すすぎ注水用（仮に電磁給水弁Ｃとする）に、三連式電磁給水弁を採用しても良いし、また、洗浄水主注水用（電磁給水弁Ｂ）、液体洗剤と水との混合液添加用（電磁給水弁Ａ）、洗浄水すすぎ注水用（仮に電磁給水弁Ｃとする）、乾燥工程用微量（噴霧）注水用（仮に電磁給水弁Ｄとする）に、四連式電磁給水弁等を採用しても良い。
また、注水量が異なる電磁給水弁Ａを複数用いて２種類の液体洗剤（例えば、洗剤、柔軟剤）の混合比を変えて、液体洗剤と水との混合液を添加させる三連式電磁給水弁や四連式電磁給水弁、五連式電磁給水弁を採用しても良い。
例えば、毎分５リットルの洗浄水すすぎ注水をさせたい場合は、例えば、電磁給水弁Ｃの開閉で該入水口１０１の水が流出する出水口を水ケース５に接続すると良い。
該電磁給水弁Ａからの水（注水）は、液体洗剤と水との混合液をつくる他、該定容室３０１３内の洗浄（液体洗剤の希釈、低濃度化）も兼ねている。
【００９１】
図１３に示すように、本発明の実施例３における該定容器３のボディ３０１は、合成樹脂成形部材（例えば、ポリプロピレン樹脂）で成形され、外周部にはボール弁体が収納できるベースＡ３０１１３と中空円柱の管路であるガイドＩ３０１８Ａと中空円柱の管路であるガイドII３０１８Ｂと流出口３０１４とを有する容器本体のボディＡII３０１１２と、
合成樹脂成形部材（例えば、ポリプロピレン樹脂）で成形され、外部面側には給液口ＢＩ３０１６Ａと給液口ＢII３０１６Ｂとを設け、内部面側には該給液口ＢＩ３０１６Ａに連通する管路口である弁座ＢＩ３０１３２Ａと該給液口ＢII３０１６Ｂに連通する管路口である弁座ＢII３０１３２Ｂとを有する蓋体のボディＢII３０１２３と、
合成樹脂成形部材（例えば、ポリプロピレン樹脂）で成形され、外周部には給水口３１３と出水口３１２とガイドＩ嵌合口とガイドII嵌合口とフタ嵌合口とを有し、内周部には該給水口３１３とガイドＩ嵌合口とガイドII嵌合口とを管路連通する通し穴Ｌ３１１１と該出水口３１２の周囲にある凹状空間と弁体が座る弁座Ｄ３１１２を収納できる空間とを有するリンク３１１と、
合成樹脂成形部材（例えば、ポリプロピレン樹脂）で成形され、外周部には該リンク３１１のフタ嵌合口に接続するリンク嵌合口とボディＡII３０１１２の流出口３０１４に接続する流出口嵌合口とを有し、内周部には該出水口３１２と該流出口３０１４とを管路連通させる通し穴Ｆ３１５１を有する連結管路のフタ３１５と、
合成樹脂成形部材（例えば、ポリプロピレン樹脂）で成形され、該ボール弁体が収納できるベースＡ３０１１３部に接続できる弁体が座る弁座Ｃ３０１３３と真空口３０１７とを有する連結体と、
が結合されて形成される。
詳しくは、該ボディＡII３０１１２と該ボディＢII３０１２３とを、該ボディＡII３０１１２と該連結体とを、該ボディＡII３０１１２と該リンク３１１とを、該リンク３１１と該フタ３１５とを、ネジ締め方式（例えば、圧入、かしめ、溶接、溶着等の他の接続方式でも良い。）で結合したものであり、各結合部の真ん中には、水密を保持するために、Ｏリング（例えば、シリコンゴム等の弾性部材）を装着してある。
【００９２】
該ボディ３０１の内部には、１回の洗浄（又は濯ぎ、仕上げ）動作に必要な（所定使用量の）液体洗剤が充填できる空間（例えば、充填容量２０ｃｃ）である定容室３０１３が形成される。
また、該ボディ３０１の内部には、該定容室３０１３から、水ケース５に送水するために洗剤流出開閉弁を設け、詳しくは該出水口３１２と該定容室３０１３とを開閉する弁Ａ３０２を設け、また、該液体洗剤槽２の液体洗剤Ｉを該定容室３０１３に送出するために洗剤Ｉ流入開閉弁を設け、詳しくは該給液口ＢＩ３０１６Ａと該定容室３０１３とを開閉する弁ＢＩを設け、また、該液体洗剤槽２の液体洗剤IIを該定容室３０１３に送出するために洗剤II流入開閉弁を設け、詳しくは該給液口ＢII３０１６Ｂと該定容室３０１３とを開閉する弁ＢIIを設け、また、該定容室３０１３から、空気を抜くために大気開放開閉弁を設け、詳しくは該真空口３０１７と該定容室３０１３とを開閉する弁Ｃ３０４と、を備えている。
【００９３】
該弁Ａ３０２は、該リンク３１１の凹状空間に入れられた弁体のボールＡ３１４と、該リンク３１１の弁座Ｄ３１１２を収納できる空間に納められた弁座Ｄ３１１２と、からなる。
該弁座Ｄ３１１２は、ゴム材で形成しても良いし、合成樹脂成形部材（例えば、ポリプロピレン樹脂）で形成しても良い。
該ボールＡ３１４は、水や液体洗剤に浮く様に、密度が水より低い合成樹脂成形部材（例えば、ポリエステル樹脂）で形成した。
該ボールＡ３１４で該弁座Ｄ３１１２を開閉することにより該出水口３１２と該通し穴Ｆ３１５１経由で該定容室３０１３とを開閉（連通と閉塞）するものである。
【００９４】
該弁Ｃ３０４は、該弁座Ｃ３０１３３と、該弁座Ｃ３０１３３と該ボール弁体が収納できるベースＡ３０１１３との間に設けられる弁体のボールＣ３１０と、からなる。
該弁座Ｃ３０１３３は、ゴム材で形成しても良いし、合成樹脂成形部材（例えば、ポリプロピレン樹脂）で形成しても良い。該連結体と別部品でも良いし、該連結体と一体部品でも良い。
該ボール弁体が収納できるベースＡ３０１１３は、該弁座Ｃ３０１３３に対向するように、該ボディＡII３０１１２に設けられている。
該ボールＣ３１０は、水や液体洗剤に浮く様に、密度が水より低い合成樹脂成形部材（例えば、ポリエステル樹脂）で形成した。該ボールＣ３１０で該弁座Ｃ３０１３３を開閉することにより、該真空口３０１７と該定容室３０１３とを開閉（管路連通と管路閉塞）するものである。
該真空口３０１７は、液体洗剤の充填で該弁Ｃ３０４が閉弁すると、極度の真空（負圧）状態になる恐れがある。そのために、該ボールＣ３１０が該弁座Ｃ３０１３３に過度に張り付き（最悪の場合食い込み発生）、大気開放に伴う自然落下による開弁動作が阻害されることが予想される。そのような状態を防止するために、該弁座Ｃ３０１３３と該真空口３０１７との間に、規定の極度の真空（負圧）状態で大気流入ができる逆止弁を設けても良い。
【００９５】
該吸引発生器４は、給水口４０１と、該給水口４０１と管路連通する出水口４０２と、該給水口４０１と該出水口４０２との間に管の一部に断面を縮小及び拡大（詳しくは管路の上流側を縮径し下流側を拡径した形状、或いは圧力差ｐ１−ｐ２を測定するときに用いられるノズル、オリフィス、ベンチュリ管等を応用した形状としても良い。）した箇所を設けた収縮口４０３と、該収縮口４０３に連通する真空発生口４０４と、を備える、いわゆるアスピレータ（吸気器）である。
詳しくは、流体（水、空気）は、ベンチュリと呼ばれる流路を絞った部位を通過すると、ベンチュリ効果により流体の流速が上がり、流体圧より圧力が低下する（低下の度合いはベルヌーイの定理によりわかる）現象がおこる。ベンチュリ効果は、流体の流れを絞ることによって、流速を増加させて、低速部にくらべて低い圧力を発生させる機構である。  該吸引発生器４はこのベンチュリ効果を応用したものであり、合成樹脂成形部材（例えば、ポリプロピレン樹脂）で一体成形で形成した。
本発明の実施例３では、吸引発生器４を独立な部品で形成して、該水ケース５に接続したが、該水ケース５の一部分とすることもできる。
【００９６】
管路口同士の接続については、ネジ締め方式（例えば、圧入、かしめ、溶接、溶着等の他の接続方式でも良い。）で直接結合をするか、或いは該配管材及びボンド（接着剤／プライマー）やバインド（ホース抜止めバンド）等の結合助材（水密保持剤）を用いて、該電磁給水弁Ａの該出水口Ａ１０２は該定容器３の該給水口３１３に接続され、該電磁給水弁Ｂの該出水口Ｂ１０３は該吸引発生器４の該給水口４０１に接続され、該定容器３の該給液口Ｉ３０１６Ａは該液体洗剤槽２の該洗剤Ｉ出口２０２に接続され、該定容器３の該給液口II３０１６Ｂは該液体洗剤槽２の該洗剤II出口２０３に接続され、該定容器３の該真空口３０１７は該吸引発生器４の該真空発生口４０４に接続され、該定容器３の該出水口３１２は該水ケース５の該給水口Ａ５０１に接続され、該吸引発生器４の該出水口４０２は該水ケース５の該給水口Ｂ５０２に接続される。
直接結合をする場合は、必要により、各接続部の真ん中には、水密を保持するために、Ｏリング（例えば、シリコンゴム等の弾性部材）等を装着すると良い。
【００９７】
該水ケース５は、合成樹脂成形部材（例えば、ポリプロピレン樹脂）で形成したが、分離させて電気洗浄機器の洗浄槽の一部品とすることもできる。
該水ケース５の開放口５０３には、粉末洗剤や消費者好みの柔軟剤等が収納出来る引出ケースを入れることができる。
該給水口Ｂ５０２から流出する水が引出ケースに注水されることにより、粉末洗剤や消費者好みの柔軟剤等が溶解されて、電気洗浄機器の洗浄槽にその混合液が供給される。
【００９８】
該ガイドＩ３０１８Ａの外周部には、ヨーク（磁気回路形成用固定鉄心）を有する電磁コイルＩ３０５Ａを設け、該ガイドＩ３０１８Ａの内周部には該ヨークと結合するセンタオリフィスＩ３０６１のある固定鉄心Ｉ３０６Ａと、端部に弁体のアマチュアシートＩ３０８Ａを設けた収縮部Ｉ３０７１Ａを有する可動鉄心Ｉ３０７Ａ（アマチュア）と、該固定鉄心Ｉ３０６Ａと該可動鉄心Ｉ３０７Ａの間に設けられるスプリングＩ３０９Ａと、を収納し、該弁ＢＩは該アマチュアシートＩ３０８Ａが該弁座ＢＩ３０１３２Ａを離接動することで開閉される。
【００９９】
該ガイドII３０１８Ｂの外周部には、ヨーク（磁気回路形成用固定鉄心）を有する電磁コイルII３０５Ｂを設け、該ガイドII３０１８Ｂの内周部には該ヨークと結合するセンタオリフィスII３０６２のある固定鉄心II３０６Ｂと、端部に弁体のアマチュアシートII３０８Ｂを設けた収縮部II３０７１Ｂを有する可動鉄心II３０７Ｂ（アマチュア）と、該固定鉄心II３０６Ｂと該可動鉄心II３０７Ｂの間に設けられるスプリングII３０９Ｂと、を収納し、該弁ＢIIは該アマチュアシートII３０８Ｂが該弁座ＢII３０１３２Ｂを離接動することで開閉される。
【０１００】
図９と図１１に示すように、水道水の低水圧の影響で該電磁給水弁Ａの閉塞が弱い場合は、該給水口３１３に逆止弁６を設けると良い。
該逆止弁６にはベース６０４と弁芯６０１が設けられている。該ベース６０４はリング６０４１に囲まれる小リング６０４３と該リング６０４１とから構成される。該小リング６０４３と該リング６０４１との間に、流体通し穴６０４２が設けられる。該弁芯６０１のガイドは該小リング６０４３の中にあり、該弁芯６０１のガイドの外にスプリング６０２があり、該弁芯６０１の上にＯリング６０３が設けられている。
また、図１０と図１１に示すように、水道水の低水圧の影響で該電磁給水弁Ｂの閉塞が弱い場合は、該給水口４０１に逆止弁６を設けると良い。
【０１０１】
本発明の実施例３の液体洗剤投入装置の作用（ソフトウェア）を説明する。
ユーザは本発明の実施例３の液体洗剤投入装置を搭載する電気洗浄機器（例えば、電気洗濯機）を使う時は、先に何回か洗濯ができる量の液体洗剤Ｉ（例えば、洗濯用洗剤）を、また先に何回か濯ぎ（仕上げ）ができる量の液体洗剤II（例えば、漂白剤、柔軟仕上剤）を、液体洗剤槽２に入れておく必要がある。
その状態で、まず、該電磁給水弁Ｂを通電させると該吸引発生器４に水が通水され該給水口Ｂ５０２を通り該水ケース５の開放口５０３から電気洗浄機器の洗浄槽に水の主注水供給が行われる。
この時の液体洗剤の投入前の初期時における各弁の状態は次の通りです。
電磁給水弁Ａ  ：閉弁
電磁給水弁Ｂ  ：開弁
定容室の弁Ａ  ：開弁
定容室の弁ＢＩ：閉弁
定容室の弁ＢII：閉弁
定容室の弁Ｃ  ：開弁
該定容器３の該定容室３０１３には水がないために、自重のため該ボールＣ３１０が該ボール弁体が収納できるベースＡ３０１１３に落ちていて、該弁Ｃ３０４が開弁になっている。
該吸引発生器４の通水により該収縮口４０３の所で負圧が発生され、該真空口３０１７から該弁Ｃ３０４経由で該定容器３０１３内の大気（空気）が吸引されると、該負圧で該ボールＡ３１４が吸引負圧により該リンク３１１の該弁座Ｄ３１１２側へ移動して該弁Ａ３０２が閉弁し、該出水口３１２と該定容室３０１３が閉塞して、該定容器３０１３内が減圧されて負圧（真空）になっていく。しかし、該弁ＢＩが閉弁状態にあるために液体洗剤槽２の液体洗剤Ｉは該定容室３０１３へは流れていかない。同様に該弁ＢIIが閉弁状態にあるために液体洗剤槽２の液体洗剤IIは該定容室３０１３へは流れていかない。
【０１０２】
次に、洗濯工程で液体洗剤Ｉの投入動作をする場合の作用を説明する。
該定容器３の電磁コイルＩ３０５Ａを通電させると、該弁ＢＩが開弁となり、該定容室３０１３内の負圧（真空）のために、該給液口ＢＩ３０１６Ａから液体洗剤Ｉが該定容室３０１３に吸引充填される。
この時の液体洗剤Ｉの充填時における各弁の状態は次の通りです。
電磁給水弁Ａ  ：閉弁
電磁給水弁Ｂ  ：開弁
定容室の弁Ａ  ：閉弁
定容室の弁ＢＩ：開弁
定容室の弁ＢII：閉弁
定容室の弁Ｃ  ：開弁
【０１０３】
規定時間（例えば、２０秒）後に該電磁コイルＩ３０５Ａと該電磁コイルII３０５Ｂの両方を停電させ該弁ＢＩと該弁ＢIIの両方を閉弁させると液体洗剤Ｉの吸引充填が強制終了するが、負圧の関係で該規定時間（例えば、２０秒）以内に該定容室３０１３が液体洗剤Ｉで満杯になると該ボールＣ３１０が該弁座Ｃ３０１３３を閉塞して該弁Ｃ３０４が閉弁し液体洗剤Ｉ吸引が即時停止されて今回の充填動作が完了する。（液体洗剤Ｉの吸引充填の強制終了前の液体洗剤Ｉ満杯後の待機状態に移る。）
この時の液体洗剤Ｉ満杯後の待機状態における各弁の状態は次の通りです。
電磁給水弁Ａ  ：閉弁
電磁給水弁Ｂ  ：開弁
定容室の弁Ａ  ：閉弁
定容室の弁ＢＩ：開弁
定容室の弁ＢII：閉弁
定容室の弁Ｃ  ：閉弁
【０１０４】
満杯前に液体洗剤Ｉの吸引充填が強制終了した場合の各弁の状態は次の通りです。
電磁給水弁Ａ  ：閉弁
電磁給水弁Ｂ  ：開弁
定容室の弁Ａ  ：閉弁
定容室の弁ＢＩ：閉弁
定容室の弁ＢII：閉弁
定容室の弁Ｃ  ：開弁
【０１０５】
ここで、濯ぎ（仕上げ）工程で液体洗剤IIの投入動作をする場合の作用を説明する。
該定容器３の電磁コイルII３０５Ｂを通電させると、該弁ＢIIが開弁となり、該定容室３０１３内の負圧（真空）のために、該給液口ＢII３０１６Ｂから液体洗剤IIが該定容室３０１３に吸引充填される。
この時の液体洗剤IIの充填時における各弁の状態は次の通りです。
電磁給水弁Ａ  ：閉弁
電磁給水弁Ｂ  ：開弁
定容室の弁Ａ  ：閉弁
定容室の弁ＢＩ：閉弁
定容室の弁ＢII：開弁
定容室の弁Ｃ  ：開弁
【０１０６】
規定時間（例えば、２０秒）後に該電磁コイルＩ３０５Ａと該電磁コイルII３０５Ｂの両方を停電させ該弁ＢＩと該弁ＢIIの両方を閉弁させると液体洗剤IIの吸引充填が強制終了するが、負圧の関係で該規定時間（例えば、２０秒）以内に該定容室３０１３が液体洗剤IIで満杯になると該ボールＣ３１０が該弁座Ｃ３０１３３を閉塞して該弁Ｃ３０４が閉弁し液体洗剤II吸引が即時停止されて今回の充填動作が完了する。（液体洗剤IIの吸引充填の強制終了前の液体洗剤II満杯後の待機状態に移る。）
この時の液体洗剤II満杯後の待機状態における各弁の状態は次の通りです。
電磁給水弁Ａ  ：閉弁
電磁給水弁Ｂ  ：開弁
定容室の弁Ａ  ：閉弁
定容室の弁ＢＩ：閉弁
定容室の弁ＢII：開弁
定容室の弁Ｃ  ：閉弁
【０１０７】
満杯前に液体洗剤IIの吸引充填が強制終了した場合の各弁の状態は次の通りです。
電磁給水弁Ａ  ：閉弁
電磁給水弁Ｂ  ：開弁
定容室の弁Ａ  ：閉弁
定容室の弁ＢＩ：閉弁
定容室の弁ＢII：閉弁
定容室の弁Ｃ  ：開弁
【０１０８】
そして、該電磁給水弁Ｂを停電（無通電）或いは通電維持し該電磁給水弁Ａを通電させると、水は該給水口３１３から該通し穴Ｌ３１１１に通り、該固定鉄心Ｉ３０６ＡのセンタオリフィスＩ３０６１を通り該ガイドＩ３０１８Ａの内周部を通り該定容室３０１３の管路内を洗浄しながら通って、また該固定鉄心II３０６ＢのセンタオリフィスII３０６２を通り該ガイドII３０１８Ｂの内周部を通り該定容室３０１３の管路内を洗浄しながら通って、該定容室３０１３に水が通水（注水）され、該定容室３０１３内に掛かる該電磁給水弁Ａからの通水圧により、該ボールＣ３１０による該弁座Ｃ３０１３３の閉塞を維持（開弁している時は強制閉塞）しながら、吸引充填された液体洗剤と水の混合液が該流出口３０１４から該通し穴Ｆ３１５１を通り、該弁Ａ３０２を通り、該出水口３１２から流出して該給水口Ａ５０１を通り該水ケース５の開放口５０３から電気洗浄機器の洗浄槽に水と液体洗剤との混合液供給が行われる。
さらに該電磁給水弁Ａからの水が該定容室３０１３に流入すると、該定容室３０１３内の混合液は水に近い状態まで希釈され粘度が低下して低粘度希釈水（最後は水道水そのものとなる。）となり、常に該弁Ａ３０２を洗浄しながら通るために、弁の液体洗剤による固化を防ぐことができる。
この時の注水状態における各弁の状態は次の通りです。
電磁給水弁Ａ  ：開弁
電磁給水弁Ｂ  ：閉弁或いは開弁
定容室の弁Ａ  ：開弁
定容室の弁ＢＩ：閉弁
定容室の弁ＢII：閉弁
定容室の弁Ｃ  ：閉弁
【０１０９】
最後に、該電磁給水弁Ｂ及び該電磁給水弁Ａを両方共に停電（無通電）させると、該吸引発生器４及び該定容器３に通水されていた水が止水する。該定容室３０１３内に掛かっていた該電磁給水弁Ａからの通水圧が無くなると、大気が該給水口Ｂ５０２から順に該出水口４０２、該真空発生口４０４、該真空口３０１７に入る。そして、管路内が大気開放されると、該弁座Ｃ３０１３３を閉塞していた該ボールＣ３１０が、自然落下して該弁座Ｃ３０１３３から離れて、大気が該定容室３０１３に入り、該定容室３０１３中に残留している低粘度希釈水は、該出水口３１２より排水して該定容室３０１３内が空（からっぽ）になる。
そして、次回の充填動作が出来るようになる。
この時の該定容室３０１３の排水時における各弁の状態は次の通りです。
電磁給水弁Ａ  ：閉弁
電磁給水弁Ｂ  ：閉弁
定容室の弁Ａ  ：開弁
定容室の弁ＢＩ：閉弁
定容室の弁ＢII：閉弁
定容室の弁Ｃ  ：開弁
このように、該定容器３の該電磁コイルＩ３０５Ａと該電磁コイルII３０５Ｂのどちかの動作選定によって、２種類の液体洗剤（液体洗剤Ｉ及び液体洗剤II）が投入出来ることを特徴とする。
本発明の実施例３の液体洗剤投入装置において、２種類の液体洗剤の切替機構を直動弁方式電磁三方弁を使用したが、例えば、直動弁方式電磁二方弁の構成を用いても良く、また弁の駆動方式には特に電磁式、電動式、手動式等は問わない。
また、例えば、直動弁方式電磁二方弁１つを搭載した、独立した定容器を二つ以上を組合せても良いし、該定容器３には弁Ｂは複数個搭載可能なので、必要により３種類以上の液体洗剤の切替機構を搭載した定容器としても良い。
【０１１０】
排水により該定容室３０１３内が空（からっぽ）になるという表現をとったが、実際には該水ケース５の該給水口Ａ５０１の位置や該定容室３０１３の該出水口３１２の位置により、該給水口Ａ５０１と該出水口３１２とが管路連通されている関係から、完全なる空にはならない場合がある。
図８ａのように、該給水口Ａ５０１が該出水口３１２と水平位置位置にある或いは該位置より低い場合は、ほとんど空になる場合が多い。
図８ｂのように、該給水口Ａ５０１が該出水口３１２より高い場合、完全なる空にはならない場合がある。３０１３５は実質の充填容量或いは排水できる水量を表す。
【０１１１】
１回の動作で該定容室３０１３の容積（実質の充填容量３０１３５の容積で、例えば、２０ｃｃ）に相当する液体洗剤（液体洗剤Ｉ及び液体洗剤II）が投入できるが、多くの液体洗剤Ｉを投入しようとする場合は、１回、２回、・・・の追加動作で、容積のｎ倍（ｎ＝２，３，４，・・・，整数）の液体洗剤Ｉが投入できる。同様に、多くの液体洗剤IIを投入しようとする場合は、１回、２回、・・・の追加動作で、容積のｎ倍（ｎ＝２，３，４，・・・，整数）の液体洗剤IIが投入できる。
【０１１２】
本発明の実施例３の液体洗剤投入装置において、１種類目の液体洗剤Ｉ投入の各工程における各弁の状態も前記の表２の通りです。同様に、２種類目の液体洗剤II投入の各工程における各弁の状態も前記の表３の通りです。
【０１１３】
以上、本発明の好適な実施の形態について種々の組合せ等を述べてきたが、本発明は上述する実施の形態に限定されるものでなく、発明の精神を逸脱しない範囲で多くの組合せ、改変等を施し得るのはもちろんである。
【０１１４】
例えば、定容器３は、水ケース５と分離した部品でなく、水ケース５と一体形成されたものでも良い。
例えば、吸引発生器４は、水ケース５の上部に設けて接続せずに、定容器３の上部に設けて水ケース５に接続しても良い。
例えば、水ケース５は、洗濯機の内蓋と兼ねても良く、また洗濯機の上部操作パネルの一部として組み込んでも良い。
構成や作用においては、電気洗浄機器の製造メーカの要望や仕様等に合わせて改変すると良い。
【産業上の利用可能性】
【０１１５】
液体洗剤の投入を伴う電気洗浄機器であれば、衣類を洗う洗濯機のみならず、水ケース５などを形状や仕様等に合わせて改変することにより、芋類など穀物類や野菜類等を洗う食品洗い機、食器等を洗う食器洗い乾燥機、洋式便器の上に設置して汚物等が付着する便器内や人体局部等を洗いながら芳香剤を噴霧するような便座用局部洗浄装置、等の液体洗剤投入装置にも適用できるものである。
また、本発明は、液体洗剤の投入のみならず、その他の液体剤（例えば、漂白剤、軟化剤、滅菌液）などの投入にも適用できる。
そして、投入された液体洗剤（特に芳香剤）を原液または希釈液して、例えば、超音波振動子で霧化して噴霧させても良い。
【符号の説明】
【０１１６】
１・・・電磁給水弁
１０１・・・入水口
１０２・・・出水口Ａ（電磁給水弁Ａの出水口）
１０３・・・出水口Ｂ（電磁給水弁Ｂの出水口）
２・・・液体洗剤槽
２０１・・・洗剤出口
２０２・・・洗剤Ｉ出口
２０３・・・洗剤II出口
３・・・定容器
３０１・・・ボディ
３０１１・・・ボディＡ
３０１１１・・・ボディＡＩ
３０１１２・・・ボディＡII
３０１１３・・・ベースＡ（ボールＣが収容される）
３０１２・・・ボディＢ
３０１２１・・・ベースＢ（ボールＣが収容される）
３０１２２・・・ボディＢＩ
３０１２３・・・ボディＢII
３０１３・・・定容室
３０１３１・・・弁座Ａ（弁座Ｂに対向する弁座）
３０１３２・・・弁座Ｂ
３０１３２Ａ・・・弁座ＢＩ（弁ＢＩの弁座）
３０１３２Ｂ・・・弁座ＢII（弁ＢIIの弁座）
３０１３３・・・弁座Ｃ
３０１３４・・・定容室の上部
３０１３５・・・実質の充填容量
３０１４・・・流出口
３０１６・・・給液口
３０１６Ａ・・・給液口ＢＩ（弁ＢＩの給液口）
３０１６Ｂ・・・給液口ＢII（弁ＢIIの給液口）
３０１７・・・真空口
３０１８・・・ガイド
３０１８Ａ・・・ガイドＩ（弁ＢＩのガイド）
３０１８Ｂ・・・ガイドII（弁ＢIIのガイド）
３０２・・・弁Ａ（洗剤流出開閉弁）
３０３・・・弁Ｂ（洗剤流入開閉弁）
３０４・・・弁Ｃ（大気開放開閉弁）
３０５・・・電磁コイル
３０５Ａ・・・電磁コイルＩ（弁ＢＩの電磁コイル）
３０５Ｂ・・・電磁コイルII（弁ＢIIの電磁コイル）
３０６・・・固定鉄心
３０６Ａ・・・固定鉄心Ｉ（弁ＢＩの固定鉄心）
３０６Ｂ・・・固定鉄心II（弁ＢIIの固定鉄心）
３０６１・・・センタオリフィスＩ（固定鉄心Ｉのセンタオリフィス）
３０６２・・・センタオリフィスII（固定鉄心IIのセンタオリフィス）
３０７・・・可動鉄心
３０７Ａ・・・可動鉄心Ｉ（弁ＢＩの可動鉄心）
３０７Ｂ・・・可動鉄心II（弁ＢIIの可動鉄心）
３０７１・・・収縮部
３０８・・・アマチュアシート
３０８Ａ・・・アマチュアシートＩ（弁ＢＩのアマチュアシート）
３０８Ｂ・・・アマチュアシートII（弁ＢIIのアマチュアシート）
３０８１・・・前端（弁Ｂ閉塞面）
３０８２・・・後端（弁Ａ閉塞面）
３０９・・・スプリング
３０９Ａ・・・スプリングＩ（弁ＢＩのスプリング）
３０９Ｂ・・・スプリングII（弁ＢIIのスプリング）
３１０・・・ボールＣ（弁座Ｃを開閉する弁体）
３１１・・・リンク
３１１１・・・通し穴Ｌ
３１１２・・・弁座Ｄ（弁ＢＩと弁ＢIIを有する定容器のときの弁Ａの弁座）
３１２・・・出水口
３１３・・・給水口
３１４・・・ボールＡ（弁座Ｄを開閉する弁体）
３１５・・・フタ
３１５１・・・通し穴Ｆ
４・・・吸引発生器
４０１・・・給水口
４０２・・・出水口
４０３・・・収縮口
４０４・・・真空発生口
５・・・水ケース
５０１・・・給水口Ａ
５０２・・・給水口Ｂ
５０３・・・開放口（不図示）
６・・・逆止弁
６０１・・・弁芯
６０２・・・スプリング
６０３・・・Ｏリング
６０４・・・ベース
【図１】
2011067604.tif 000006
【図２】
2011067604.tif 000007
【図３ａ】
2011067604.tif 000008
【図３ｂ】
2011067604.tif 000009
【図４】
2011067604.tif 000010
【図５】
2011067604.tif 000011
【図６】
2011067604.tif 000012
【図７】
2011067604.tif 000013
【図８ａ】
2011067604.tif 000014
【図８ｂ】
2011067604.tif 000015
【図９】
2011067604.tif 000016
【図１０】
2011067604.tif 000017
【図１１】
2011067604.tif 000018
【図１２】
2011067604.tif 000019
【図１３】
2011067604.tif 000020